(57)【特許請求の範囲】
【請求項１】
通信を提供する方法であって、
中継ノード（ＲＮ）において、ドナー基地局（ＤｅＮＢ）から、ダウンリンク送信許可を受信することと、
調節ファクタおよび前記ダウンリンク送信許可における情報に基づいて、前記ＲＮにおいて、調節された送信ブロック・サイズ（ＴＢＳ）を決定することと、を備え、
前記送信許可における前記情報は、リソース分割を含み、前記調節ファクタが、前記ＲＮに割り当てられたリソースの実際の利用可能性および推定された利用可能性のうちの少なくとも何れかに基づき、前記決定することは、前記調節ファクタに基づいて、ＴＢＳルックアップ・テーブルへのインデクスを調節することを備える、
方法。
【請求項２】
前記調節ファクタは、前記ＲＮと前記ＤｅＮＢとの間の伝搬遅延に基づく、請求項１に記載の方法。
【請求項３】
前記調節ファクタは、ＲＮサブフレームにおける制御およびデータ情報の多重化構成に基づく、請求項１に記載の方法。
【請求項４】
前記調節ファクタは、ＲＮサブフレームのダウンリンク（ＤＬ）区分とアップリンク（ＵＬ）区分との間の前記ＲＮサブフレームにおける切換時間に基づく、請求項１に記載の方法。
【請求項５】
前記調節ファクタは、前記ＲＮと前記ＤｅＮＢとの間のタイミング・オフセットに基づく、請求項１に記載の方法。
【請求項６】
前記調節ファクタは、前記ＲＮに割り当てられたリソース・ブロックについて、リソース・ブロック毎に利用可能なリソース要素の数に基づく、請求項１に記載の方法。
【請求項７】
前記調節ファクタは、前記ＲＮと前記ＤｅＮＢとの間の伝播遅延、ＲＮサブフレームにおける制御およびデータ情報の多重化構成、前記ＲＮサブフレームのＤＬ区分とＵＬ区分との間の前記ＲＮサブフレームにおける切換時間、前記ＲＮと前記ＤｅＮＢとの間のタイミング・オフセット、および、前記ＲＮに割り当てられたリソース・ブロックについて利用可能なリソース要素の数、のうちの複数に基づく、請求項１に記載の方法。
【請求項８】
前記調節ファクタは、前記ＲＮにおいて決定される、請求項１に記載の方法。
【請求項９】
前記調節ファクタは、前記ＤｅＮＢにおいて決定される、請求項１に記載の方法。
【請求項１０】
前記調節ファクタは、固定されたパラメータに基づく、請求項１に記載の方法。
【請求項１１】
前記調節ファクタは、チャネル条件特性またはラジオ送信特性に基づいて動的に生成される、請求項１に記載の方法。
【請求項１２】
前記調節ファクタを決定するために使用可能なフィードバックを前記ＲＮから前記ＤｅＮＢへ提供することと、
前記調節ファクタ、または、前記調節ファクタを決定する際に使用するデータを、前記フィードバックに少なくとも部分的に基づいて、前記ＤｅＮＢから受信することと、をさらに備える請求項１に記載の方法。
【請求項１３】
前記調節されたＴＢＳとの一貫性のある信号を送信することをさらに備える、請求項１に記載の方法。
【請求項１４】
コンピュータ読取可能な記憶媒体であって、コンピュータに対して、
ダウンリンク送信許可を受信させ、
調節ファクタおよび前記ダウンリンク送信許可における情報に基づいて、調節された送信ブロック・サイズ（ＴＢＳ）を決定させる、ためのコードを含み、
前記ダウンリンク送信許可における前記情報は、リソース分割を含み、前記調節ファクタが、前記ダウンリンク送信許可を受信するノードに割り当てられたリソースの実際の利用可能性および推定された利用可能性のうちの少なくとも何れかに基づき、前記コードは、前記調節ファクタに基づいて、ＴＢＳルックアップ・テーブルへのインデクスを調節するためのコードを含む、
コンピュータ読取可能な記憶媒体。
【請求項１５】
前記ダウンリンク送信許可は、ＲＮにおいて、ＤｅＮＢから受信され、前記調節ファクタは、前記ＲＮと前記ＤｅＮＢとの間の伝搬遅延に基づく、請求項１４に記載のコンピュータ読取可能な記憶媒体。
【請求項１６】
前記調節ファクタは、ＲＮサブフレームにおける制御およびデータ情報の多重化構成に基づく、請求項１４に記載のコンピュータ読取可能な記憶媒体。
【請求項１７】
前記調節ファクタは、ＲＮサブフレームのダウンリンク（ＤＬ）区分とアップリンク（ＵＬ）区分との間の前記ＲＮサブフレームにおける切換時間に基づく、請求項１４に記載のコンピュータ読取可能な記憶媒体。
【請求項１８】
前記調節ファクタは、ＲＮとＤｅＮＢとの間のタイミング・オフセットに基づく、請求項１４に記載のコンピュータ読取可能な記憶媒体。
【請求項１９】
前記調節ファクタは、ＲＮに割り当てられたリソース・ブロックについて、リソース・ブロック毎に利用可能なリソース要素の数に基づく、請求項１４に記載のコンピュータ読取可能な記憶媒体。
【請求項２０】
前記調節ファクタは、ＲＮとＤｅＮＢとの間の伝播遅延、ＲＮサブフレームにおける制御およびデータ情報の多重化構成、前記ＲＮサブフレームのＤＬ区分とＵＬ区分との間の前記ＲＮサブフレームにおける切換時間、前記ＲＮと前記ＤｅＮＢとの間のタイミング・オフセット、および、前記ＲＮに割り当てられたリソース・ブロックについて、リソース・ブロック毎に利用可能なリソース要素の数、のうちの複数に基づく、請求項１４に記載のコンピュータ読取可能な記憶媒体。
【請求項２１】
前記コードは、前記ＲＮにおいて、前記調節ファクタを決定するためのコードを含む、請求項１４に記載のコンピュータ読取可能な記憶媒体。
【請求項２２】
前記コードはさらに、前記調節ファクタを決定するために使用可能なフィードバックを前記ＲＮからＤｅＮＢへ提供し、前記調節ファクタ、または、前記調節ファクタを決定する際に使用するデータを、前記フィードバックに少なくとも部分的に基づいて、前記ＤｅＮＢから受信するためのコードを含む、請求項１４に記載のコンピュータ読取可能な記憶媒体。
【請求項２３】
前記コードはさらに、前記コンピュータに対して、前記調節されたＴＢＳとの一貫性のある信号を送信させるためのコードを含む、請求項１４に記載のコンピュータ読取可能な記憶媒体。
【請求項２４】
中継ノード（ＲＮ）であって、
ＤｅＮＢから、ダウンリンク送信許可を受信するように構成された受信機モジュールと、
調節ファクタおよび前記ダウンリンク送信許可における情報に基づいて、調節された送信ブロック・サイズ（ＴＢＳ）を決定するように構成されたプロセッサ・モジュールと、を備え、
前記ダウンリンク送信許可における前記情報は、リソース分割を含み、前記調節ファクタが、前記ＲＮに割り当てられたリソースの実際の利用可能性および推定された利用可能性のうちの少なくとも何れかに基づき、記決定することは、前記調節ファクタに基づいて、ＴＢＳルックアップ・テーブルへのインデクスを調節することを備える、
中継ノード。
【請求項２５】
前記調節ファクタは、前記ＲＮと前記ＤｅＮＢとの間の伝搬遅延に基づく、請求項２４に記載の中継ノード。
【請求項２６】
前記調節ファクタは、ＲＮサブフレームにおける制御およびデータ情報の多重化構成に基づく、請求項２４に記載の中継ノード。
【請求項２７】
前記調節ファクタは、ＲＮサブフレームのダウンリンク（ＤＬ）区分とアップリンク（ＵＬ）区分との間の前記ＲＮサブフレームにおける切換時間に基づく、請求項２４に記載の中継ノード。
【請求項２８】
前記調節ファクタは、前記ＲＮと前記ＤｅＮＢとの間のタイミング・オフセットに基づく、請求項２４に記載の中継ノード。
【請求項２９】
前記調節ファクタは、前記ＲＮに割り当てられたリソース・ブロックについて、リソース・ブロック毎に利用可能なリソース要素の数に基づく、請求項２４に記載の中継ノード。
【請求項３０】
前記調節ファクタは、前記ＲＮと前記ＤｅＮＢとの間の伝播遅延、ＲＮサブフレームにおける制御およびデータ情報の多重化構成、前記ＲＮサブフレームのＤＬ区分とＵＬ区分との間の前記ＲＮサブフレームにおける切換時間、前記ＲＮと前記ＤｅＮＢとの間のタイミング・オフセット、および、前記ＲＮに割り当てられたリソース・ブロックについて、リソース・ブロック毎に利用可能なリソース要素の数、のうちの複数に基づく、請求項２４に記載の中継ノード。
【請求項３１】
前記調節ファクタは、前記ＲＮにおいて決定される、請求項２４に記載の中継ノード。
【請求項３２】
前記調節ファクタは、固定されたパラメータに基づく、請求項２４に記載の中継ノード。
【請求項３３】
前記調節ファクタは、チャネル条件特性またはラジオ送信特性に基づいて動的に生成される、請求項２４に記載の中継ノード。
【請求項３４】
前記調節ファクタを決定するために使用可能なフィードバックを前記ＤｅＮＢへ提供するように構成された送信機モジュールをさらに備え、
前記受信機モジュールはさらに、前記調節ファクタ、または、前記調節ファクタを決定する際に使用するデータを、前記フィードバックに少なくとも部分的に基づいて、前記ＤｅＮＢから受信するように構成された、請求項２４に記載の中継ノード。
【請求項３５】
前記調節されたＴＢＳとの一貫性のある信号を送信するように構成された送信機モジュールをさらに備える、請求項２４に記載の中継ノード。
【請求項３６】
通信デバイスであって、
中継ノード（ＲＮ）において、ＤｅＮＢからダウンリンク送信許可を受信する手段と、
調節ファクタおよび前記ダウンリンク送信許可における情報に基づいて、ＲＮにおいて、調節された送信ブロック・サイズ（ＴＢＳ）を決定する手段と、を備え、
前記ダウンリンク送信許可における前記情報は、リソース分割を含み、前記調節ファクタが、前記ＲＮに割り当てられたリソースの実際の利用可能性および推定された利用可能性のうちの少なくとも何れかに基づき、前記決定するための手段は、前記調節ファクタに基づいて、ＴＢＳルックアップ・テーブルへのインデクスを調節する、
通信デバイス。
【請求項３７】
前記調節ファクタは、前記ＲＮと前記ＤｅＮＢとの間の伝播遅延、ＲＮサブフレームにおける制御およびデータ情報の多重化構成、前記ＲＮサブフレームのＤＬ区分とＵＬ区分との間の前記ＲＮサブフレームにおける切換時間、および、前記ＲＮに割り当てられたリソース・ブロックについて、リソース・ブロック毎に利用可能なリソース要素の数、のうちの複数に基づく、請求項３６に記載の通信デバイス。
【請求項３８】
通信を提供する方法であって、
ドナーｅＮＢ（ＤｅＮＢ）において、第１の中継ノード（ＲＮ）との接続を確立することと、
前記ＲＮにおいて伝送ブロック・サイズ（ＴＢＳ）を調節するために使用可能な第１の情報およびダウンリンク（ＤＬ）送信許可を、前記ＤｅＮＢから前記ＲＮへ送信することと、を備え、
前記ＤＬ送信許可は、リソース分割を含み、前記第１の情報は、前記第１のＲＮに割り当てられたリソースの実際の利用可能性および推定された利用可能性のうちの少なくとも何れかに関連し、前記第１の情報は、ルックアップ・テーブル・インデクスを調節することにより、調整されたＴＢＳを前記ＲＮにおいて生成するために使用可能な調節ファクタを備える、
方法。
【請求項３９】
前記ＴＢＳを調節するための前記第１の情報は、前記ＲＮと前記ドナーｅＮＢとの間の伝播遅延に基づく、請求項３８に記載の方法。
【請求項４０】
調節するための前記第１の情報は、ＲＮサブフレームにおける制御およびデータ情報の多重化構成に基づく、請求項３８に記載の方法。
【請求項４１】
調節するための前記第１の情報は、ダウンリンク（ＤＬ）とアップリンク（ＵＬ）との間のＲＮサブフレームにおける切換時間に基づく、請求項３８に記載の方法。
【請求項４２】
調節するための前記第１の情報は、前記ＲＮと前記ＤｅＮＢとの間のタイミング・オフセットに基づく、請求項３８に記載の方法。
【請求項４３】
前記第１の情報は、前記ＲＮと前記ＤｅＮＢとの間の伝播遅延、ＲＮサブフレームにおける制御およびデータ情報の多重化構成、前記ＲＮサブフレームのＤＬ区分とＵＬ区分との間の前記ＲＮサブフレームにおける切換時間、前記ＲＮと前記ＤｅＮＢとの間のタイミング・オフセット、および、前記ＲＮに割り当てられたリソース・ブロックについて、リソース・ブロック毎に利用可能なリソース要素の数、のうちの複数に基づく、請求項３８に記載の方法。
【請求項４４】
前記調節ファクタは、前記ＲＮから受信した情報に基づいて前記ＤｅＮＢにおいて生成される、請求項３８に記載の方法。
【請求項４５】
前記第１の情報は、チャネル条件特性またはラジオ送信特性に基づいて前記ＤｅＮＢにおいて動的に生成される、請求項３８に記載の方法。
【請求項４６】
前記調節ファクタを決定するために使用可能な前記ＲＮからのフィードバックを、前記ＤｅＮＢにおいて受信することと、
前記フィードバックに少なくとも部分的に基づいて、前記伝送ブロック・サイズを調節するために使用可能な前記第１の情報を生成することと、をさらに備える請求項３８に記載の方法。
【請求項４７】
前記調節されたＴＢＳとの一貫性のある信号を、前記ＲＮから受信することをさらに備える、請求項３８に記載の方法。
【請求項４８】
第２のＲＮとの第２の接続を確立することと、
前記第２のＲＮにおいて伝送ブロック・サイズ（ＴＢＳ）を調節するために使用可能な第２の情報および第２のダウンリンク（ＤＬ）送信許可を、前記ＤｅＮＢから前記第２のＲＮへ送信することと、をさらに備える請求項３８に記載の方法。
【請求項４９】
前記第２の情報は、前記第１の情報とは異なる、請求項４８に記載の方法。
【請求項５０】
コンピュータ読取可能な記憶媒体であって、コンピュータに対して、
中継ノード（ＲＮ）との接続を確立させ、
前記ＲＮにおいて伝送ブロック・サイズ（ＴＢＳ）を調節するために使用可能な情報およびダウンリンク（ＤＬ）送信許可を、前記ＲＮへ送信させる、ためのコードを含み、
前記ＤＬ送信許可は、リソース分割を含み、前記情報は、前記ＲＮに割り当てられたリソースの実際の利用可能性および推定された利用可能性のうちの少なくとも何れかに関連し、前記情報は、ルックアップ・テーブル・インデクスを調節することにより、調整されたＴＢＳを前記ＲＮにおいて生成するために使用可能な調節ファクタを備える、
コンピュータ読取可能な記憶媒体。
【請求項５１】
ドナーｅＮＢであって、
中継ノード（ＲＮ）との接続を確立するように構成された受信機モジュールと、
前記ＲＮにおいて伝送ブロック・サイズ（ＴＢＳ）を調節するために使用可能な情報およびダウンリンク（ＤＬ）送信許可を、前記ＲＮへ送信するように構成された送信機モジュールと、を備え、
前記ＤＬ送信許可は、リソース分割を含み、前記情報は、前記ＲＮに割り当てられたリソースの実際の利用可能性および推定された利用可能性のうちの少なくとも何れかに関連し、前記情報は、ルックアップ・テーブル・インデクスを調節することにより、調整されたＴＢＳを前記ＲＮにおいて生成するために使用可能な調節ファクタを備える、
ドナーｅＮＢ。
【請求項５２】
通信デバイスであって、
中継ノード（ＲＮ）との接続を確立する手段と、
前記ＲＮにおいて伝送ブロック・サイズ（ＴＢＳ）を調節するために使用可能な情報およびダウンリンク（ＤＬ）送信許可を、前記ＲＮへ送信する手段と、を備え、
前記ＤＬ送信許可は、リソース分割を含み、前記情報は、前記ＲＮに割り当てられたリソースの実際の利用可能性および推定された利用可能性のうちの少なくとも何れかに関連し、前記情報は、ルックアップ・テーブル・インデクスを調節することにより、調整されたＴＢＳを前記ＲＮにおいて生成するために使用可能な調節ファクタを備える、
通信デバイス。
【発明の詳細な説明】
【関連出願に対する相互参照】
【０００１】
本願は、２００９年１０月１５日出願の無線通信伝送ブロック・サイズ決定（WIRELESS COMMUNICATION TRANSPORT BLOCK SIZE DETERMINATION）と題された米国仮特許出願６１／２５２，１０９号に対する優先権を主張する。この内容は、すべての目的について全体が本明細書において参照によって組み込まれている。
【技術分野】
【０００２】
本願は、一般に、無線通信システムに関する。さらに詳しくは、限定する訳ではないが、本願は、バックホール・サブフレームを中継するための伝送ブロック・サイズを決定するための方法および装置に関する。
【背景技術】
【０００３】
無線通信システムは、例えば、音声、データ、ビデオ等のようなさまざまなタイプの通信コンテンツを提供するように広く展開されている。そして、展開は、例えば、ロング・ターム・イボリューション（ＬＴＥ）システムのような新たなデータ指向のシステムの導入とともに増えて行くであろう。無線通信システムは、（例えば、帯域幅および送信電力のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、およびその他の直交周波数分割多元接続（ＯＦＤＭＡ）システムを含んでいる。
【０００４】
一般に、無線多元接続通信システムは、（ユーザ機器（ＵＥ）またはアクセス端末（ＡＴ）としても知られている）複数の無線端末のための通信を同時にサポートしうる。端末はおのおのの、順方向リンクおよび逆方向リンクによる送信を介して（アクセス・ポイント（ＡＰ）、ｅノードＢまたはｅＮＢとしても知られている）１または複数の基地局と通信する。（ダウンリンクまたはＤＬとしても知られている）順方向リンクは、基地局から端末への通信リンクを称し、（アップリンクまたはＵＬとしても知られている）逆方向リンクは、端末から基地局への通信リンクを称する。これらの通信リンクは、単一入力単一出力、単一入力複数出力、複数入力単一出力、あるいは、複数入力複数出力（ＭＩＭＯ）システムによって確立されうる。
【０００５】
中継ノード（ＲＮ）は、無線通信システムにおける使用のために考慮されている。ＲＮは、範囲拡張を提供すること、データ・レートを増加すること、ＵＥモビリティを容易にすること、セル・エッジ有効通信範囲を改善することのみならず、その他のパラメータを提供することのために、例えばＵＥのような端末と、例えばｅＮＢのような基地局との間に配置されうる。
【発明の概要】
【０００６】
この開示は、一般に、無線通信システムに関する。例えば、１つの態様では、本開示は、例えば、ドナー基地局と通信する中継ノードにおいて、調節ファクタに基づいて、伝送ブロック・サイズを調節するための装置および方法に関する。いくつかの実施形態では、ドナー基地局に関連付けられた複数の中継ノードに関連付けられた伝送ブロック・サイズが、異なる調節ファクタまたは調節情報を用いて調節されうる。
【０００７】
別の態様では、本開示は、例えば中継ノードにおいて、通信を提供するための方法に関する。この方法は、例えば、中継ノード（ＲＮ）において、ドナー基地局（ＤｅＮＢ）から、ダウンリンク送信許可を受信することを含みうる。この方法はさらに、調節ファクタおよび送信許可における情報に基づいて、ＲＮにおいて、調節された送信ブロック・サイズ（ＴＢＳ）を決定することを含みうる。
【０００８】
この決定は、例えば、調節ファクタに基づいて、ＴＢＳルックアップ・テーブルへのインデクスを調節することを含みうる。調節ファクタは、例えば、ＲＮとＤｅＮＢとの間の時間オフセット、および／または、伝搬遅延に基づきうる。調節ファクタは、例えば、ＲＮサブフレームにおける制御およびデータ情報の多重化構成に基づきうる。調節ファクタは、例えば、ＲＮサブフレームのダウンリンク（ＤＬ）区分とアップリンク（ＵＬ）区分との間のＲＮサブフレームにおける切換時間に基づきうる。調節ファクタは、例えば、ＲＮとＤｅＮＢとの間のタイミング・オフセットに基づきうる。調節ファクタは、例えば、ＲＮに割り当てられたすべてのリソース・ブロックのためのように、リソース・ブロック毎に利用可能なリソース要素に基づきうる。調節ファクタは、例えば、前述したパラメータおよび／またはその他の組み合わせに基づきうる。いくつかの実施形態では、調節ファクタは、ＲＮとＤｅＮＢとの間の伝播遅延、ＲＮサブフレームにおける制御およびデータ情報の多重化構成、および、ＲＮサブフレームのＤＬ区分とＵＬ区分との間のＲＮサブフレームにおける切換時間、のうちの複数に基づきうる。
【０００９】
調節ファクタは、例えば、ＲＮにおいて決定されうる。調節ファクタは、例えば、ＤｅＮＢにおいて、またはＤｅＮＢとＲＮとの組み合わせにおいて決定されうる。いくつかの実施形態では、調節ファクタは、例えば、関連付けられたコア・ネットワークのうちの１または複数のノードのようなその他のネットワーク・ノードにおいて決定されうる。
【００１０】
調節ファクタは、例えば、固定パラメータまたは固定値に基づきうる。調節ファクタは、レイヤ３（すなわち、ＭＡＣレイヤ）設定されうる。調節ファクタは、例えば、ＤｅＮＢにおいて、ＲＮにおいて、ＤｅＮＢとＲＮとの組み合わせにおいて、および／または、その他のノードとの組み合わせにおいて、動的に生成されうる。そして、チャネル条件特性またはラジオ送信特性に基づきうる。
【００１１】
この方法はさらに、例えば、調節ファクタを決定するために使用可能なフィードバックをＲＮからＤｅＮＢへ提供することを含みうる。この方法はさらに、調節ファクタ、または、調節ファクタを決定する際に使用するデータを、フィードバックに少なくとも部分的に基づいて、ｅＮＢから受信することを含みうる。この方法はさらに、調節されたＴＢＳとの一貫性のある信号を、ＲＮから送信することを含みうる。
【００１２】
別の態様では、本開示は、例えばドナー基地局またはｅＮＢにおいて、通信を提供するための方法に関する。この方法は、ドナーｅＮＢ（ＤｅＮＢ）において、第１の中継ノード（ＲＮ）との接続を確立することを含みうる。この方法はさらに、ＲＮにおいて伝送ブロック・サイズ（ＴＢＳ）を調節するために使用可能な情報およびダウンリンク（ＤＬ）送信許可を、ＤｅＮＢからＲＮへ送信することを含みうる。
【００１３】
ＴＢＳを調節するための情報は、例えば、ＲＮとドナーｅＮＢとの間の伝播遅延に基づきうる。ＴＢＳを調節するための情報は、例えば、ＲＮサブフレームにおける制御およびデータ情報の多重化構成に基づきうる。ＴＢＳを調節するための情報は、例えば、ダウンリンク（ＤＬ）サブフレーム区分とアップリンク（ＵＬ）サブフレーム区分との間のＲＮサブフレームにおける切換時間に基づきうる。ＴＢＳを調節するための情報は、例えば、ＲＮとＤｅＮＢとの間のタイミング・オフセットに基づきうる。調節するための情報は、例えば、ＲＮに割り当てられたすべてのリソース・ブロックのためのように、リソース・ブロック毎に利用可能なリソース要素に基づきうる。この情報は、他のものと同様に、上述したパラメータの組み合わせに基づきうる。例えば、この情報は、ＲＮとＤｅＮＢの間の伝播遅延、ＲＮサブフレームにおける制御およびデータ情報の多重化構成、および、ＲＮサブフレームのＤＬ区分とＵＬ区分との間のＲＮサブフレームにおける切換時間、のうちの複数に基づきうる。
【００１４】
この情報は例えば、ルックアップ・テーブル・インデクスを調節することにより、調整されたＴＢＳをＲＮにおいて生成するために使用可能な調節ファクタを含みうる。調節ファクタは、ＲＮから受信した情報に基づいてＤｅＮＢにおいて生成されうる。調節ファクタ、または、調節ファクタを生成するための情報は、ＲＮにおいて部分的に生成され、ＤｅＮＢへ提供されうる。いくつかの場合、調節ファクタ、または、調節ファクタを生成するための情報は、ＲＮにおいて生成され、ＤｅＮＢへ提供されうる。この情報または調節ファクタは、予め定義されうる。この情報または調節ファクタは、レベル３設定されうる。この情報または調節ファクタは、チャネル条件特性またはラジオ送信特性に基づいてＤｅＮＢにおいて動的に生成されうる。
【００１５】
この方法はさらに、例えば、調節ファクタを決定するために使用可能なＲＮからのフィードバックを、ＤｅＮＢにおいて受信することを含みうる。この方法はさらに、このフィードバックに少なくとも部分的に基づいて、伝送ブロック・サイズを調節するために使用可能な情報を生成することを含みうる。この方法はさらに、調節されたＴＢＳとの一貫性のある信号を、第１のＲＮから受信することを含みうる。
【００１６】
この方法はさらに、例えば、第２のＲＮとの第２の接続を確立することを含みうる。この方法はさらに、第２のＲＮにおいて伝送ブロック・サイズ（ＴＢＳ）を調節するために使用可能な第２の情報および第２のダウンリンク（ＤＬ）送信許可を、ＤｅＮＢから第２のＲＮへ送信することを含みうる。第２の情報は、第１の情報とは異なりうる。第１のＲＮによって使用される調節ファクタと、第２のＲＮによって使用される調節ファクタとは異なりうる。これら異なる調節ファクタは、異なる設定パラメータおよび／またはチャネル特性に基づきうる。
【００１７】
別の態様では、本開示は、上述した方法を実行するように構成された通信デバイスに関する。
【００１８】
別の態様では、本開示は、上述した方法を実行する手段を含む通信デバイスに関する。
【００１９】
さらなる態様、特徴、および機能が、添付図面とともに以下にさらに説明される。
【図面の簡単な説明】
【００２０】
本願は、添付図面と連携された以下の詳細記述に関連してより十分に理解されるであろう。
【図１】図１は、無線通信システムの詳細を例示する。
【図２】図２は、複数のセルを有する無線通信システムの詳細を例示する。
【図３】図３は、中継ノード（ＲＮ）を含む無線通信システム構成の詳細を例示する。
【図４】図４は、フレーム構造の例を例示する。
【図５】図５は、伝送ブロック・サイズ（ＴＢＳ）を決定するためのルックアップ・テーブルの例を例示する。
【図６】図６は、ガード期間（ＧＰ）を含む特別なサブフレーム構造の実施形態の例の詳細を例示する。
【図７】図７は、制御割当およびデータ割当を含むリソース割当構成の実施形態の例を例示する。
【図８】図８は、無線通信システムの中継ノード構成要素においてＴＢＳを調節する処理の実施形態の例を例示する。
【図９】図９は、無線通信システムのドナー基地局構成要素におけるＴＢＳの調節を容易にするための処理の実施形態を例示する。
【図１０】図１０は、端末またはＵＥ、および基地局またはｅＮＢを含む通信システムの実施形態の詳細を例示する。
【図１１】図１１は、無線通信システムにおける中継ノード構成要素およびドナー基地局構成要素の詳細を例示する。
【発明を実施するための形態】
【００２１】
本開示は、一般に、無線通信システムにおける干渉の調整、管理、および緩和に関する。さまざま実施形態では、本明細書に記載された技術および装置は、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングル・キャリアＦＤＭＡ（ＳＣ−ＦＤＭＡ）ネットワーク、ＬＴＥネットワークのみならず、その他の通信ネットワークのような無線通信ネットワークのために使用されうる。本明細書で記載されているように、「ネットワーク」、および「システム」という用語は、置換可能に使用されうる。
【００２２】
ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。
【００２３】
ＯＦＤＭＡネットワークは、例えば、イボルブドＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭ（登録商標）等のようなラジオ技術を実現する。ＵＴＲＡ、Ｅ−ＵＴＲＡ、およびＧＳＭは、ユニバーサル・モバイル・テレコミュニケーション・システム（ＵＭＴＳ）の一部である。特に、ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織から提供された文書に記載されており、ｃｄｍａ２０００は、「第３世代パートナシップ計画２」（３ＧＰＰ２）と命名された組織からの文書に記載されている。これらさまざまなラジオ技術および規格は、当該技術分野において知られているか、開発中である。例えば、第３世代パートナシップ計画（３ＧＰＰ）は、世界的に適用可能な第３世代（３Ｇ）モバイル電話仕様を定義することを目的とするテレコミュニケーション関係者のグループ間での共同作業である。３ＧＰＰロング・ターム・イボリューション（ＬＴＥ）は、ユニバーサル・モバイル・テレコミュニケーション・システム（ＵＭＴＳ）モバイル電話規格の改善を目指した３ＧＰＰプロジェクトである。３ＧＰＰは、モバイル・ネットワーク、モバイル・システム、およびモバイル・デバイスの次世代のための仕様を定義しうる。明確化のために、これら装置および技術のある態様は、以下において、ＬＴＥ実施のために記載されており、ＬＴＥ用語が以下の説明の多くで使用される。しかしながら、この説明は、ＬＴＥアプリケーションに限定されるようには意図されていない。したがって、本明細書で記載された装置および方法は、その他さまざまな通信システムおよびアプリケーションに適用されうることが、当業者に明らかになるであろう。
【００２４】
無線通信システムにおける論理チャネルは、制御チャネルおよびトラフィック・チャネルに分類されうる。論理制御チャネルは、システム制御情報をブロードキャストするためのダウンリンク（ＤＬ）チャネルであるブロードキャスト制御チャネル（ＢＣＣＨ）と、ページング情報を転送するＤＬチャネルであるページング制御チャネル（ＰＣＣＨ）と、１またはいくつかのＭＴＣＨのためのマルチメディア・ブロードキャストおよびマルチキャスト・サービス（ＭＢＭＳ）スケジューリングおよび制御情報を送信するために使用されるポイント・トゥ・マルチポイントＤＬチャネルであるマルチキャスト制御チャネル（ＭＣＣＨ）とを含みうる。一般に、ラジオ・リソース制御（ＲＲＣ）接続を確立した後、このチャネルは、ＭＢＭＳを受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。
【００２５】
論理トラフィック・チャネルは、ユーザ情報の転送のために１つのＵＥに特化されたポイント・トゥ・ポイント双方向チャネルである専用トラフィック・チャネル（ＤＴＣＨ）と、トラフィック・データを送信するためのポイント・トゥ・マルチポイントＤＬチャネルのためのマルチキャスト・トラフィック・チャネル（ＭＴＣＨ）とを含みうる。
【００２６】
伝送チャネルは、ダウンリンク（ＤＬ）伝送チャネルとアップリンク（ＵＬ）伝送チャネルとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を含みうる。ＰＣＨは、（ＤＲＸサイクルが、ネットワークによってＵＥへ示される場合における）ＵＥの節電、および、セル全体にわたるブロードキャストのサポートのために使用され、他の制御／トラフィック・チャネルのために使用されうる物理レイヤ（ＰＨＹ）リソースにマップされうる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを含みうる。ＰＨＹチャネルは、ＤＬチャネルおよびＵＬチャネルのセットを含みうる。
【００２７】
さらに、ＤＬ  ＰＨＹチャネルは、以下を含みうる。  
共通パイロット・チャネル（ＣＰＩＣＨ）、  
同期チャネル（ＳＣＨ）、  
共通制御チャネル（ＣＣＣＨ）、  
共有ＤＬ制御チャネル（ＳＤＣＣＨ）、  
マルチキャスト制御チャネル（ＭＣＣＨ）、  
共有ＵＬ割当チャネル（ＳＵＡＣＨ）、  
アクノレッジメント・チャネル（ＡＣＫＣＨ）、  
ＤＬ物理共有データ・チャネル（ＤＬ−ＰＳＤＣＨ）、  
ＵＬ電力制御チャネル（ＵＰＣＣＨ）、  
ページング・インジケータ・チャネル（ＰＩＣＨ）、  
負荷インジケータ・チャネル（ＬＩＣＨ）。
【００２８】
ＵＬ  ＰＨＹチャネルは、以下を含みうる。  
物理ランダム・アクセス・チャネル（ＰＲＡＣＨ）、  
チャネル品質インジケータ・チャネル（ＣＱＩＣＨ）、  
アクノレッジメント・チャネル（ＡＣＫＣＨ）、  
アンテナ・サブセット・インジケータ・チャネル（ＡＳＩＣＨ）、  
共有要求チャネル（ＳＲＥＱＣＨ）、  
ＵＬ物理共有データ・チャネル（ＵＬ−ＰＳＤＣＨ）、  
ブロードキャスト・パイロット・チャネル（ＢＰＩＣＨ）。
【００２９】
「典型的である」という単語は「例、事例、あるいは実例として役立つ」ことを意味するために本明細書で使用される。本明細書で「典型的である」と記載されたあらゆる態様および／または実施形態は、他の態様および／または実施形態よりも好適であるとか有利であるとか解釈される必要は必ずしもない。
【００３０】
さまざまな態様および／または実施形態の説明の目的のために、次の用語および略語が本明細書で使用されうる。  
ＡＭ：アクノレッジ・モード、  
ＡＭＤ：アクノレッジ・モード・データ、  
ＡＲＱ：自動反復要求、  
ＢＣＣＨ：ブロードキャスト制御チャネル、  
ＢＣＨ：ブロードキャスト・チャネル、  
Ｃ−：制御−、  
ＣＣＣＨ：共通制御チャネル、  
ＣＣＨ：制御チャネル、  
ＣＣＴｒＣＨ：符号化された合成伝送チャネル、  
ＣＰ：サイクリック・プレフィクス、  
ＣＲＣ：巡回冗長検査、  
ＣＴＣＨ：共通トラフィック・チャネル、  
ＤＣＣＨ：専用制御チャネル、  
ＤＣＨ：専用チャネル、  
ＤＬ：ダウンリンク、  
ＤＳＣＨ：ダウンリンク共有チャネル、  
ＤＴＣＨ：専用トラフィック・チャネル、  
ＦＡＣＨ：順方向リンク・アクセス・チャネル、  
ＦＤＤ：周波数分割デュプレクス、  
Ｌ１：レイヤ１（物理レイヤ）、  
Ｌ２：レイヤ２（データ・リンク・レイヤ）、  
Ｌ３：レイヤ３（ネットワーク・レイヤ）、  
ＬＩ：長さインジケータ、  
ＬＳＢ：最下位ビット、  
ＭＡＣ：媒体アクセス制御、  
ＭＢＭＳ：マルチメディア・ブロードキャスト・マルチキャスト・サービス、  
ＭＣＣＨ：ＭＢＭＳポイント・トゥ・マルチポイント制御チャネル、  
ＭＲＷ：動き受信ウィンドウ、  
ＭＳＢ：最上位ビット、  
ＭＳＣＨ：ＭＢＭＳポイント・トゥ・マルチポイント・スケジューリング・チャネル、
ＭＴＣＨ：ＭＢＭＳポイント・トゥ・マルチポイント・トラフィック・チャネル、  
ＰＣＣＨ：ページング制御チャネル、  
ＰＣＨ：ページング・チャネル、  
ＰＤＵ：プロトコル・データ・ユニット、  
ＰＨＹ：物理レイヤ、  
ＰｈｙＣＨ：物理チャネル、  
ＲＡＣＨ：ランダム・アクセス・チャネル、  
ＲＬＣ：ラジオ・リンク制御、  
ＲＲＣ：ラジオ・リソース制御、  
ＳＡＰ：サービス・アクセス・ポイント、  
ＳＤＵ：サービス・データ・ユニット、  
ＳＨＣＣＨ：共有チャネル制御チャネル、  
ＳＮ：シーケンス番号、  
ＳＵＦＩ：スーパ・フィールド、  
ＴＣＨ：トラフィック・チャネル、  
ＴＤＤ：時分割デュプレクス、  
ＴＦＩ：伝送フォーマット・インジケータ、  
ＴＭ：透過モード、  
ＴＭＤ：透過モード・データ、  
ＴＴＩ：送信時間インタバル、  
Ｕ−：ユーザ−、  
ＵＥ：ユーザ機器、  
ＵＬ：アップリンク、  
ＵＭ：非アクノレッジ・モード、  
ＵＭＤ：非アクノレッジ・モード・データ、  
ＵＭＴＳ：ユニバーサル・モバイル通信システム、  
ＵＴＲＡ：ＵＭＴＳ地上ラジオ・アクセス、  
ＵＴＲＡＮ：ＵＭＴＳ地上ラジオ・アクセス・ネットワーク、  
ＭＢＳＦＮ：マルチキャスト・ブロードキャスト単一周波数ネットワーク、  
ＭＣＥ：ＭＢＭＳ調整エンティティ、  
ＭＣＨ：マルチキャスト・チャネル、  
ＤＬ−ＳＣＨ：ダウンリンク共有チャネル、  
ＭＳＣＨ：ＭＢＭＳ制御チャネル、  
ＰＤＣＣＨ：物理ダウンリンク制御チャネル、  
ＰＤＳＣＨ：物理ダウンリンク共有チャネル。
【００３１】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されたＭＩＭＯチャネルは、空間チャネルとも称されるＮＳ個の独立したチャネルへ分解されうる。線形受信機が使用される場合、最大空間多重化ＮＳは、ｍｉｎ（ＮＴ、ＮＲ）である。ここで、ＮＳ個の独立チャネルのおのおのは、ディメンションに相当する。これは、スペクトル効率のＮＳ増加を提供する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。ランクに関し、特別のディメンションが説明されうる。
【００３２】
ＭＩＭＯシステムは、時分割デュプレクス（ＴＤＤ）実施および周波数分割デュプレクス（ＦＤＤ）実施をサポートしうる。ＴＤＤシステムでは、相互原理によって、逆方向リンク・チャネルから、順方向リンク・チャネルの推定が可能となるように、順方向リンク送信と逆方向リンク送信とが同じ周波数領域を使用する。これによって、アクセス・ポイントにおいて複数のアンテナが利用可能である場合、アクセス・ポイントは、順方向リンクで送信ビーム・フォーミング・ゲインを抽出できるようになる。
【００３３】
システム設計は、ビームフォーミングおよびその他の機能を容易にするために、ダウンリンクおよびアップリンクのためのさまざまな時間−周波数基準信号をサポートしうる。基準信号は、既知のデータに基づいて生成された信号であり、パイロット、プリアンブル、トレーニング信号、サウンディング信号等とも称されうる。基準信号は、例えばチャネル推定、コヒーレント復調、チャネル品質測定、信号強度測定等のようなさまざまな目的のために受信機によって使用されうる。しかしながら、複数のアンテナを用いるＭＩＭＯシステムは、一般に、アンテナ間での基準信号の送信の調整を考慮し、ＬＴＥシステムは、一般に、複数の基地局またはｅＮＢからの基準信号の送信の調整を考慮しない。
【００３４】
３ＧＰＰ仕様３６２１１−９００は、セクション５．５において、ＰＵＳＣＨまたはＰＵＣＣＨの送信に関連付けられていないサウンディングのみならず、ＰＵＳＣＨまたはＰＵＣＣＨの送信に関連付けられた、復調のための特定の基準信号を定義する。例えば、テーブル１は、ダウンリンクおよびアップリンクで送信されうるＬＴＥ実施のためのいくつかの基準信号をリストし、おのおのの基準信号のための簡略記述を提供する。セル特有の基準信号はまた、共通パイロット、ブロードバンド・パイロット等とも称されうる。ＵＥ特有の基準信号はまた、専用基準信号とも称されうる。  
【表１】
0005571192.tif 000002
【００３５】
いくつかの実施では、システムは、時分割デュプレクス（ＴＤＤ）を利用しうる。ＴＤＤの場合、アップリンクとダウンリンクとが同じ周波数スペクトルまたはチャネルを共有し、ダウンリンク送信およびアップリンク送信が、同じ周波数スペクトルで送信される。ダウンリンク・チャネル応答は、このように、アップリンク・チャネル応答と相関付けられうる。相互原理によって、ダウンリンク・チャネルは、アップリンクによって送られた送信に基づいて推定されるようになる。これらアップリンク送信は、基準信号であるか、または（復調後に基準シンボルとして使用されうる）アップリンク制御チャネルでありうる。アップリンク送信によって、複数のアンテナによる空間選択チャネルの推定が可能となる。
【００３６】
ＬＴＥ実施では、直交周波数分割多重が、ダウンリンク、すなわち、基地局、アクセス・ポイント、またはｅノードＢ（ｅＮＢ）からアクセス端末またはＵＥへのために使用される。ＯＦＤＭを使用することは、スペクトル柔軟性に対するＬＴＥ要件を満たし、高いピーク・レートによって、非常に広いキャリアのためのコスト効率の良い解決策を可能とする、良好に確立された技術である。例えば、ＯＦＤＭは、ＩＥＥＥ８０２．１１ａ／ｇ、８０２．１６、ＨＩＰＥＲＬＡＮ−２、ＤＶＢ、およびＤＡＢのような規格で使用される。
【００３７】
（本明細書では、リソース・ブロックとして、または、簡略化して「ＲＢ」としても称される）時間周波数物理リソース・ブロックは、ＯＦＤＭシステムでは、伝送キャリア（例えば、サブ・キャリア）のグループとして、あるいは、データを伝送するために割り当てられたインタバルとして定義されうる。ＲＢは、時間および周波数期間にわたって定義される。リソース・ブロックは、時間−周波数リソース要素から構成される（本明細書では、リソース要素として、または、簡略化して「ＲＥ」とも称される）。これは、スロット内の時間および周波数のインデクスによって定義されうる。ＬＴＥ  ＲＢおよびＲＥのさらなる詳細は、３ＧＰＰ  ＴＳ  ３６．２１１に記載されている。
【００３８】
ＵＭＴＳ  ＬＴＥは、２０ＭＨｚから１．４ＭＨｚまでスケール可能なキャリア帯域幅をサポートする。ＬＴＥでは、ＲＢは、サブキャリア帯域幅が１５ｋＨｚである場合、１２のサブキャリアとして定義され、サブキャリア帯域幅が７．５ｋＨｚである場合、２４のサブキャリアとして定義される。典型的な実施では、時間領域において、１０ミリ秒（ｍｓ）の長さであり、おのおのが１ｍｓからなる１０のサブフレームから構成されている、定義されたラジオ・フレームが存在する。各スロットが０．５ｍｓである場合、おのおののサブフレームは、２つのスロットから構成される。周波数領域におけるサブキャリア間隔は、この場合、１５ｋＨｚである。（スロットあたり）これらのサブキャリアの１２がＲＢを構成するので、この実施では、１つのリソース・ブロックは、１８０ｋＨｚである。６つのリソース・ブロックが、１．４ＭＨｚのキャリアに収まり、１００のリソース・ブロックが、２０ＭＨｚのキャリアに収まる。
【００３９】
ダウンリンクでは、一般に、上述したような多くの物理チャネルが存在する。特に、制御を送信するために物理ダウンリンク制御チャネル（ＰＤＣＣＨ）が使用され、ＡＣＫ／ＮＡＣＫを送信するために物理ハイブリッドＡＲＱインジケータ・チャネル（ＰＨＩＣＨ）が使用され、制御シンボル数を指定するために物理制御フォーマット・インジケータ・チャネル（ＰＣＦＩＣＨ）が使用され、データ送信のために物理ダウンリンク共有チャネル（ＰＤＳＣＨ）が使用され、単一周波数ネットワーク（ＳＦＮ）を用いたブロードキャスト送信のために物理マルチキャスト・チャネル（ＰＭＣＨ）が使用され、セル内で重要なシステム情報を送信するために物理ブロードキャスト・チャネル（ＰＢＣＨ）が使用される。ＬＴＥにおいてサポートされているＰＤＳＣＨにおける変調フォーマットは、ＱＰＳＫ、１６ＱＡＭ、および６４ＱＡＭである。さまざまな変調および符号化スキームが、３ＧＰＰ仕様におけるさまざまなチャネルのために定義されている。
【００４０】
アップリンクでは、一般に、３つの物理チャネルが存在する。初期アクセスのために、かつ、ＵＥがアップリンク同期されていない場合にのみ、物理ランダム・アクセス・チャネル（ＰＲＡＣＨ）が使用される一方、データは、物理アップリンク共有チャネル（ＰＵＳＣＨ）で送信される。ＵＥのために、アップリンクで送信されるべきデータが存在しない場合、制御情報は、物理アップリンク制御チャネル（ＰＵＣＣＨ）で送信されるであろう。アップリンク・データ・チャネルでサポートされている変調フォーマットは、ＱＰＳＫ、１６ＱＡＭ、および６４ＱＡＭである。
【００４１】
仮想ＭＩＭＯ／空間分割多元接続（ＳＤＭＡ）が導入される場合、アップリンク方向におけるデータ・レートは、基地局におけるアンテナの数に依存して増加されうる。この技術を用いて、複数のモバイルが、同じリソースを再使用しうる。ＭＩＭＯ動作の場合、１つのユーザのデータ・スループットを高めるためのシングル・ユーザＭＩＭＯと、セル・スループットを高めるためのマルチ・ユーザＭＩＭＯとが区別される。
【００４２】
３ＧＰＰ  ＬＴＥでは、移動局またはデバイスは、「端末」、「ユーザ・デバイス」、または「ユーザ機器」（ＵＥ）と称されうる。基地局は、イボルブド・ノードＢまたはｅＮＢと称されうる。半自律的な基地局は、ホームｅＮＢまたはＨｅＮＢと称されうる。したがって、ＨｅＮＢは、ｅＮＢの１つの例でありうる。ＨｅＮＢおよび／またはＨｅＮＢの有効通信範囲エリアは、フェムト・セル、ＨｅＮＢセル、（アクセスが制限される）クローズド加入者グループ（ＣＳＧ）セルと称されうる。
【００４３】
本開示のその他のさまざまな態様および特徴が、以下にさらに詳細に記載される。本明細書における教示は、さまざまな広範な形態で具体化され、本明細書で開示されているあらゆる具体的な構成、機能、またはこれら両方は、単に代表例であることが明らかであるべきである。本明細書における教示に基づいて、当業者であれば、本明細書に開示された態様は、その他任意の態様と独立して実施され、これら態様のうちの複数は、さまざまな方式で組み合わされうることを認識すべきである。例えば、本明細書に記載された任意の数の態様を用いて装置が実施され、方法が実現されうる。さらに、このような装置またはこのような方法は、本明細書に記載された態様のうちの１または複数に追加されたその他の構成、機能、または、構成と機能を用いて、あるいは、本明細書に記載されたものとは異なる態様のうちの１または複数を用いて実現されうる。さらに、態様は、特許請求の範囲のうちの少なくとも１つの構成要素を含みうる。
【００４４】
図１は、以下にさらに説明されるような態様が実施されるＬＴＥシステムでありうる多元接続無線通信システムの実施の詳細を例示する。（アクセス・ポイントまたはＡＰとしても知られている）イボルブド・ノードＢ（ｅＮＢ）１００は、１つは１０４と１０６を含み、他は１０８と１１０を含み、さらに別のものは１１２と１１４を含む複数のアンテナ・グループを含みうる。図１では、おのおののアンテナ・グループについて２本のアンテナしか示されていない。しかしながら、おのおののアンテナ・グループについて、２本より多いまたは少ないアンテナが利用されうる。（アクセス端末またはＡＴとしても知られている）ユーザ機器（ＵＥ）１１６は、アンテナ１１２、１１４と通信している。ここで、アンテナ１１２、１１４は、（ダウンリンクとしても知られている）順方向リンク１２０でＵＥ１１６に情報を送信し、（アップリンクとしても知られている）逆方向リンク１１８でＵＥ１１６から情報を受信する。第２のＵＥ１２２は、アンテナ１０６、１０８と通信している。ここで、アンテナ１０６、１０８は、順方向リンク１２６でＵＥ１２２に情報を送信し、逆方向リンク１２４でアクセス端末１２２から情報を受信する。
【００４５】
周波数分割デュプレクス（ＦＤＤ）システムでは、通信リンク１１８、１２０、１２４、１２６は、通信のために異なる周波数を使用しうる。例えば、順方向リンク１２０は、逆方向リンク１１８によって使用されるものとは異なる周波数を使用しうる。時分割デュプレクス（ＴＤＤ）システムでは、ダウンリンクおよびアップリンクが共有されうる。
【００４６】
通信するように設計されたエリアおよび／またはアンテナのおのおののグループは、しばしば、ｅＮＢのセクタと称される。おのおののアンテナ・グループは、ｅＮＢ１００によってカバーされるエリアのセクタ内のＵＥと通信するように設計される。順方向リンク１２０、１２６による通信では、ｅＮＢ４００の送信アンテナは、異なるアクセス端末１１６、１２４の順方向リンクの信号対雑音比を改善するために、ビームフォーミングを利用する。さらに、有効通信範囲にわたってランダムに散在するＵＥへ送信するためにビームフォーミングを利用するｅＮＢは、すべてのＵＥに対して単一のアンテナで送信しているｅＮＢよりも、近隣セル内のＵＥに対して少ない干渉しかもたらさない。ｅＮＢは、ＵＥと通信するために使用される固定局であり、アクセス・ポイント、ノードＢ、またはその他いくつかの同等の専門用語でも称されうる。ＵＥはまた、アクセス端末、ＡＴ、ユーザ機器、無線通信デバイス、端末、あるいはその他いくつかの同等の専門用語で称されうる。
【００４７】
図２は、ＬＴＥネットワークでありうる無線通信ネットワーク２００を示す。無線ネットワーク２００は、多くのイボルブド・ノードＢ（ｅＮＢ）２１０およびその他のネットワーク・エンティティを含みうる。ｅＮＢは、ＵＥと通信する局であり、基地局、ノードＢ、アクセス・ポイント等とも称されうる。おのおののｅＮＢ２１０は、特定の地理的エリアのために通信有効範囲を提供する。ネットワーク容量を改善するために、ｅＮＢの全体的な有効通信範囲エリアが、多数（例えば３つ）の、より小さなエリアへ分割されうる。３ＧＰＰでは、用語「セル」は、この用語が使用されるコンテキストに依存して、この有効通信範囲エリアにサービス提供しているｅＮＢおよび／またはｅＮＢサブ・システムの最小の有効通信範囲エリアを称しうる。
【００４８】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、自宅）をカバーし、例えば、自宅のユーザのためのＵＥ、特別なサービス・プランに加入しているユーザのためのＵＥ等のように、フェムト・セルとの関連付けを持つＵＥによる制限付きアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢと称されうる。図２に示す例では、ｅＮＢ２１０ａ、２１０ｂ、２１０ｃは、マクロ・セル２０２ａ、２０２ｂ、２０２ｃそれぞれのためのマクロｅＮＢでありうる。ｅＮＢ２１０ｘは、ピコ・セル２０２ｘのためのピコｅＮＢでありうる。ｅＮＢ２１０ｙは、フェムト・セル２０２ｙのためのフェムトｅＮＢでありうる。
【００４９】
無線ネットワーク２００はさらに、中継局またはノード（ＲＮ）をも含みうる。中継ノードは、データおよび／またはその他の情報の送信を上流局（例えば、ｅＮＢまたはＵＥ）から受信し、データおよび／またはその他の情報の送信を下流局（例えば、ＵＥまたはｅＮＢ）へ送信する局である。図２に示される例において、中継ノード２１０ｚは、ｅＮＢ２１０ａとＵＥ２２０ｚとの間の通信を容易にするために、ｅＮＢ２１０ａおよびＵＥ２２０ｚと通信しうる。中継ノードはまた、リレーｅＮＢ、リレー等とも称されうる。本明細書における記述では、「局」は、ＵＥ、中継ノードまたはＲＮ、または、情報を受信および送信することができるその他いくつかのエンティティでありうる。
【００５０】
ネットワーク・コントローラ２３０は、ｅＮＢのセットに接続しており、これらｅＮＢのための調整および制御を提供しうる。ネットワーク・コントローラ２３０は、単一のネットワーク・エンティティでありうるか、複数のネットワーク・エンティティの集合でありうる。ネットワーク・コントローラ２３０は、バックホールを介してｅＮＢ２１０と通信しうる。ｅＮＢ２１０はまた、例えば、ダイレクトに、または、無線または有線のバックホールを介して非ダイレクトに、互いに通信しうる。
【００５１】
無線ネットワーク２００は、マクロｅＮＢのみを含むホモジニアスなネットワークでありうる。無線ネットワーク１００はまた、例えば、マクロｅＮＢ、ピコｅＮＢ、フェムトｅＮＢ、リレー等のような異なるタイプのｅＮＢを含むヘテロジニアスなネットワークでもありうる。これら異なるタイプのｅＮＢは、異なる送信電力レベル、異なる有効通信範囲エリア、および、無線ネットワーク２００内の干渉に対する異なるインパクトを有しうる。例えば、マクロｅＮＢは、高い送信電力レベル（例えば、２０ワット）を有する一方、ピコｅＮＢ、フェムトｅＮＢ、およびリレーは、低い送信電力レベル（例えば、１ワット）を有しうる。本明細書に記載された技術は、ホモジニアスなネットワークおよびヘテロジニアスなネットワークのために使用されうる。
【００５２】
無線ネットワーク２００の全体にわたってＵＥ２２０が分布しうる。そして、おのおののＵＥは、固定式または移動式でありうる。ＵＥは、端末、移動局、加入者ユニット、局等とも称されうる。例えば、ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。ＵＥは、ダウンリンク（ＤＬ）およびアップリンク（ＵＬ）によってｅＮＢと通信しうる。ダウンリンク（すなわち順方向リンク）は、ｅＮＢからＵＥへの通信リンクを称し、アップリンク（すなわち逆方向リンク）は、ＵＥからｅＮＢへの通信リンクを称する。ＵＥは、マクロｅＮＢ、ピコｅＮＢ、フェムトｅＮＢ、中継ノード、および／または、その他のタイプのｅＮＢと通信することができうる。図２では、２つの矢印を持つ実線が、ＵＥと、ダウンリンクおよび／またはアップリンクでＵＥにサービス提供するように指定されたｅＮＢであるサービス提供ｅＮＢとの間の所望の送信を示す。２つの矢印を持つ破線は、ＵＥとｅＮＢとの間の干渉送信を示す。
【００５３】
図３は、サービス提供されているＵＥ３２０と、ＤＬ３２２およびＵＬ３２３を介して通信しうるｅＮＢ３１０を含む通信システム３００構成のさらなる詳細を例示する。ｅＮＢ３１０はさらに、例えばＤＬ３１２およびＵＬ３１３を介したＲＮ３４０のような１または複数の中継ノードに対するドナーｅＮＢ（ＤｅＮＢ）としても機能しうる。伝播遅延ＴＰＤは、ＲＮ３４０とｅＮＢ３１０との間の信号送信における遅延を特徴付けうる。（例えば、数１０キロメータのオーダであるように）かなりの距離であるいくつかの場合、遅延ＴＰＤは、数ＯＦＤＭシンボルほど大きくなりうる。ＲＮ３４０とｅＮＢ３１０とが近いその他の場合には、この遅延は、重要ではないことがある。
【００５４】
いくつかの場合には、ＲＮとｅＮＢとの間の送信のために、タイミング・オフセットが定義されるか、または割り当てられうる。この場合、調節ファクタ、または、送信ブロック・サイズを調節するための関連する情報は、ＲＮとＤｅＮＢとの間のタイミング・オフセットに基づきうる。
【００５５】
ＲＮ３４０は、ｅＮＢ３１０とＵＥ３４２との間の接続に関する中継機能を提供するために、１または複数の端末、または、例えばＵＥ３４２のようなＵＥと、ＤＬ３４２およびＵＬ３４３を介して通信しうる。ｅＮＢ３１０はまた、例えばリンク３６０を介して、（図示しない）コア・ネットワークまたはバックホール・ネットワークとも通信しうる。以下にさらに詳しく説明するように、いくつかの態様にしたがって、送信ブロック・サイズ（ＴＢＳ）が、伝搬遅延に基づいて調節されうる。ＴＢＳ調節は、以下に説明するように、他のパラメータと組み合わせてもなされうる。
【００５６】
図４は、ラジオ送信のために使用されうる、例えば図２、３に示すようなシステムにおけるフレーム構造４００の例を例示する。特に、フレーム構造４００に示すように、送信タイムラインが、ラジオ・フレームおよびサブフレームの単位に分割されうる。おのおののラジオ・フレームは、（例えばＬＴＥにおいて１０ミリ秒（ｍｓ）のような）予め定めた持続時間を有し、０乃至９のインデクスを持つ１０個のサブフレームへ分割されうる。おのおののサブフレームはさらに、２つのスロットを含むように分割され、おのおののスロットは、Ｌ個のシンボル期間を含みうる。ＬＴＥにおいて、Ｌは、拡張されたサイクリック・プレフィクスの場合には６に等しいか、または、通常のサイクリック・プレフィクスの場合には７に等しい。制御およびデータ・シグナリングは、以下に説明するように、例えばサブフレームに割り当てられうる。
【００５７】
前述したように、ＬＴＥは、ダウンリンクで、直交周波数分割多重（ＯＦＤＭ）を、アップリンクで、シングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０ＭＨｚのシステム帯域幅についてそれぞれ１２８、２５６、５１２、１０２４、２０４８にそれぞれ等しい。ダウンリンクでは、おのおののサブフレームが、図４に示すように、シンボル期間０乃至２Ｌ−１の２Ｌ個のＯＦＤＭシンボルを含みうる。アップリンクでは、おのおののサブフレームが、（図４に示されていないが）シンボル期間０乃至２Ｌ−１の２Ｌ個のＯＦＤＭシンボルを含みうる。
【００５８】
ＬＴＥは、特定のＵＥへのユニキャスト情報の送信をサポートする。ＬＴＥはまた、すべてのＵＥへのブロードキャスト情報の送信と、ＵＥのグループへのマルチキャスト情報の送信とをサポートする。マルチキャスト／ブロードキャスト送信はまた、マルチキャスト・ブロードキャスト単一周波数ネットワーク（ＭＢＳＦＮ）送信とも称されうる。ユニキャスト情報を送信するために使用されるサブフレームは、レギュラ・サブフレームと称されうる。マルチキャスト情報および／またはブロードキャスト情報を送信するために使用されるサブフレームは、ＭＢＳＦＮサブフレーム、ブロードキャスト・サブフレーム等と称されうる。
【００５９】
一般に、ＭＢＳＦＮサブフレームは、サブフレームの第１の部分において、基準信号および一定の制御情報を伝送し、サブフレームの第２の部分において、マルチキャスト／ブロードキャスト・データを伝送する場合もしない場合もある、サブフレームである。ｅＮＢは、サブフレームを、ＭＢＳＦＮサブフレームとして（例えば、システム情報を介して）レガシーＵＥへ宣言しうる。その後、これらレガシーＵＥは、定義されたＭＢＳＦＮシグナリングとの一貫性のあるＭＢＳＦＮサブフレームの第１の部分において、基準信号および制御情報を期待するだろう。ｅＮＢは、ＭＢＳＦＮサブフレームの第２の部分でブロードキャスト・データを期待するように、（例えば、上部レイヤ・シグナリングによって）レガシーＵＥに個別に通知しうる。そして、レガシーＵＥは、第２の部分において、ブロードキャスト・データを期待するだろう。いくつかの実施では、ｅＮＢはまた、レガシーＵＥに対して、ＭＢＳＦＮサブフレームの第２の部分において、ブロードキャスト・データを期待するように通知せず、レガシーＵＥは、第２の部分において、ブロードキャスト・データを期待しないだろう。
【００６０】
Ｅ−ＵＴＲＡ規格にしたがって、ダウンリンク・データをＵＥへ送信するために（または、ＵＥからのアップリンク・データを要求するために）、ｅＮＢは、ダウンリンク制御チャネル（例えば、物理ダウンリンク制御チャネル（ＰＤＣＣＨ））におけるダウンリンク制御情報（ＤＣＩ）によってスケジューリング・メッセージ（例えば、スケジューリングまたは送信許可メッセージ）を送信し、所望のデータ送信スキームのためのパラメータを提供する。アップリンク（ＵＬ）許可は、アップリンク・サブフレームを生成する際に使用するためにｅＮＢによって提供されるパラメータを含む。このパラメータは、伝送ブロック・サイズ、データ変調および符号化スキーム（ＭＣＳ）、例えば冗長バージョン（ＲＶ）のようなハイブリッド自動反復要求（ＨＡＲＱ）情報、リソース割当（例えば、システム帯域幅全体における位置およびリソース・ブロック）、電力制御情報、および、その他の制御情報を含む。
【００６１】
同様に、ＤＬ割当は、伝送ブロック・サイズ、データ変調および符号化スキーム、リソース割当（例えば、システム帯域幅全体における位置およびリソース・ブロック）、ＨＡＲＱ情報、プリコーディング行列情報、および、その他の制御情報を含む、ダウンリンク・サブフレームを復号するために使用される、ｅＮＢによって提供されるパラメータを含む。ＵＬ許可およびＤＬ割当は、一般に、ＰＤＣＣＨによって送信される。
【００６２】
データは、可変サイズである（例えば、媒体アクセス制御パケット・データ単位（ＭＡＣ−ＰＤＵ）を定義する）伝送ブロックで送信される。１または２つの伝送ブロックは、ＵＬ割当またはＤＬ割当毎に定義されうる。前述したように、伝送ブロック・サイズ情報は、例えば、ＲＮを使用しないシステムまたは接続において、ｅＮＢからＵＥへ送信される。ＲＮが使用される場合、ＲＮへ、および、ＲＮから、シグナリングも提供される。
【００６３】
サイズ割当は、ＰＤＣＣＨで送られうる制御メッセージで送信データを送ることによってなされる。情報は、割当のためのリソース・ブロック（ＲＢ）の数（例えば、ｘ個のリソース・ブロック）を含むのみならず、チャネル品質情報に応じうる、割り当てられた変調符号スキーム（ＭＣＳ）をも含みうる。これら２つのパラメータは、その後、伝送ブロック・サイズ（ＴＢＳ）を決定するために、受信デバイスによって使用されうる。例えば、典型的な実施形態では、これらパラメータは、選択されたＴＢＳに対応する伝送ブロック・サイズ・ルックアップ・テーブルにおける値を識別するためのインデクスとして使用されうる。
【００６４】
図５は、ルックアップ・テーブル５００の例を例示する（この例は、技術仕様３ＧＰＰ  ＴＳ  ３６．２１３（ｖ９．３．０）、セクション７．１．７．２．１）から得られる）。これは、本明細書において参照によって組み込まれている。テーブル５００のようなテーブルを使用して、行５１０値および列５２０の値に基づいて、伝送ブロック・サイズが決定されうる。例えば、（ＲＢまたはＮＰＲＢの割り当てられた数に基づく）６である列値、および、（ＭＣＳインデクスまたはＩＴＢＳに基づく）４である行インデクス値の場合、対応する伝送ブロック・サイズは４０８になるであろう。
【００６５】
必要に応じて、例えばテーブル５００のようなルックアップ・テーブルは、例えば、どれだけ多くのリソース要素（ＲＥ）がデータを伝送するために利用可能であるかのような、仮定された構成に関する仮定を含む。例えば、仮定は、アンテナの数、制御用法のみならず、その他のデータおよびパラメータに関してなされうる。これらの仮定は、例えばテーブル５００に含まれるデータのような、ルックアップ・テーブル内のデータを生成するために使用されうる。したがって、実際のデータ量が、これら仮定のために使用される量とは異なる場合には、リソース要素割当およびシグナリングに伴う問題が生じうる。
【００６６】
例えば、ＴＤＤ実施のようないくつかの実施では、（例えば、ＬＴＥリリース８仕様において記載されているように）ある特別なサブフレームが使用されうる。これら特別のサブフレームでは、ダウンリンク部分、ガード期間、およびアップリンク部分が定義される。したがって、これら特別なサブフレームにおいて利用可能なシンボルの数は、部分的なガード期間およびアップリンク部分のために、通常のサブフレームに比べて少ない。その結果、利用可能なＲＥの数、またはＲＢ毎のＲＥの数は、より少なくなるであろう。
【００６７】
これに対処するために、図４に示すテーブル４００のような通常のルックアップ・テーブルが、未だに使用されうる。しかしながら、これによって、非効率となりうる（すなわち、利用可能なシンボル数がより少なくなると、符号化レートが増加し、１さえも超え、符号化に伴う問題を引き起こす）。
【００６８】
この問題に対処するために、別のルックアップ・テーブルが使用されうる。しかしながら、このアプローチは、追加のテーブル・データの格納および／または送信にともなう問題のみならず、その他の問題をももたらしうる。あるいは、ルックアップ・テーブルへのインデクス付けが調節されうる。例えば、割り当てられた伝送ブロック（ＴＢＳ）の数が、例えば、受信したＲＢに調節ファクタを乗じることによって調節されうる。一例では、この値は、予め定義された固定値である０．７５でありうる。これは、調節されたＲＢ値を生成するために、ＲＢの数が乗じられたものである。このアプローチでは、予め定義された値は、仕様にしたがって決定され、もって、設定でも、動的に調節可能でもない。
【００６９】
例えば、テーブル４００に基づく１つの実施では、受信されたＲＢの数が８である場合、これに、０．７５からなる固定調節値を乗じることによって、６に調節されたＲＢ値が得られる。この調節された値は、その後、ルックアップ・テーブルからＴＢＳサイズを決定するために使用されうる。例えば、行インデクスが１である場合、結果として得られるＴＢＳサイズは、（８であるＲＢ値から得られる２５６ではなく）２０８になるであろう。
【００７０】
ある態様によれば、追加の制御および柔軟性を可能にする別の実施が、例えば、図３に示すような中継ノードを用いた実施に適用されうる。ＬＴＥ−Ａ実施では、例えば、本明細書において参照によって組み込まれている３ＧＰＰ  ＴＲ  ３６．８１４に記載され、図３、４に示されているような中継動作がサポートされる。しかしながら、帯域内中継動作の場合、中継ノードは一般に、同時に送信および受信することができない（すなわち、半デュプレクスとなるように設定されるだろう）。その結果、（ｅＮＢとリレーとの間の）バックホール・リンクと、（リレーとＵＥとの間の）アクセス・リンクとの間のサブフレーム・リソースが、時間において直交化され、レガシー・デバイスに関連することを含む、適切なシグナリグが可能となる。これを行うために、中継ノードは、（例えば、レガシー機器等との互換性を持つために）マルチキャスト／ブロードキャスト単一周波数ネットワーク（ＭＢＳＦＮ）サブフレームを使用しうる。
【００７１】
例えば、この機能は、中継ノードにおいて切り換わるＤＬとＵＬとの間で定義されたガード期間を用いることによって実現されうる。これは、前述した特別なサブフレームのために使用されるものと類似したアプローチを用いてなされうる。当業者であれば、この状況は、ダウンリンク・パイロット時間スロット（ＤｗＰＴＳ）サブフレームが使用される場合と類似しているものの、同一ではないと考えられうることを認識しうる。したがって、同一ではないが類似したアプローチが適用されうる。しかしながら、いくつかの相違点がある。例えば、指定されたようなＤｗＰＴＳサブフレームにおけるＯＦＤＭシンボル数の設定は、この数が、例えば３−１２シンボルのように非常に広い範囲で変化しうることを示唆している。当該場合は、ＴＢＳの決定のために９−１２シンボルに制限されうる。一方、バックホールＰＤＳＣＨ送信を中継するためのＯＦＤＭシンボル数は、いくつかの場合、より小さな範囲に制限されうることが期待される。ＤｗＰＴＳサブフレームは、ほとんどすべてのＵＥに対して利用可能であり、同様に、同じＴＢＳ決定が、ほとんどすべてのＵＥに適用可能である。一方、サブフレームが、バックホール動作を中継するように設定されている場合、このサブフレームはまた、ｅＮＢにダイレクトに関連付けられたＵＥにサービス提供するようにも使用されうる（これらＵＥは、ダイレクト・リンクＵＥとして示される）。これらＵＥの場合、サブフレームは未だにレギュラ・サブフレームと同じでありうる。
【００７２】
この例は図６に示されている。これは、ラジオ・フレーム構造６００の一例を例示し、ここでは、特別なサブフレーム６００が、ガード期間（ＧＰ）６２０を含んでいる。この特定のフレーム構造は、説明の目的のために示されており、限定するいかなる方式であることも意図されていないことが注目される。ガード期間は、切換期間に関連付けられているか、または、切換期間を定義しうる。ここでは、サブフレームにおけるシグナリングが、ダウンリンクからアップリンクへと変更される。図６に示される例は、特定のリリース８  ＴＤＤ  特別サブフレーム構成３、４、５に関連しているが、例えば、（図示しない）ＴＤＤ構成０、１、２、６のために使用されるようなその他の切換サブフレーム構成、あるいは、ガード期間または切換時間または期間を含むＭＢＳＦＮサブフレームのようなその他の特別なサブフレーム構成が、さまざまな実施において使用されうる。したがって、調節ファクタは、とりわけ、切換時間、または、ＤＬからＵＬへの移行またはＵＬからＤＬへの移行に関連付けられたその他の時間割当のようなその他のファクタに基づきうる。いくつかの場合には、切換時間は、非常に小さく、この場合、これらのための調節は、必要とされない。
【００７３】
さらに、例えば物理ダウンリンク制御チャネル（ＰＤＣＣＨ）のような制御シグナリングが、例えば、物理ダウンリンク共有チャネル（ＰＤＳＣＨ）のようなデータ・チャネルと混合されうる。この例が、図７に示される。これは、リソース割当７００の例を例示する。これが生じる場合、ＰＤＳＣＨのために利用可能なリソース要素数は、半デュプレクス動作、ガード帯域、および／または、伝搬遅延によって割り当てられた切換期間に加えて引き起こりうる通常動作に対して低減されうる。したがって、ＴＢＳ調節のための調節ファクタは、例えば図７に示すように、とりわけ、（例えば、異なる周波数リソース内の同じ時間内で、および／または、異なる時間リソースの間の周波数内で）制御およびデータ割当が多重化されているか（すなわち、制御およびＰＤＳＣＨが多重化されているか）のような他のファクタに基づきうる。
【００７４】
さらに、特に制御領域におけるｅＮＢから中継ノードへの干渉を最小化するために、および／または、制御領域設計を簡単にするために、同期されたｅＮＢと中継ノードとの間に時間オフセットを意図的に導入することが望ましい場合がある。これは、バックホールを中継するために利用可能なシンボル数が、レギュラ・サブフレームのシンボル数よりも小さいことを示唆する。これは、いくつかの実施では、ＴＢＳ調節のためにも使用されうる。
【００７５】
図８は、例えば中継ノードのように、ＴＢＳを調節するための処理８００の例を例示する。ステージ８１０では、中継ノードは、例えばダウンリンク送信許可を、基地局から受信しうる。これは、割り当てられたリソース・ブロック数のみならず、変調および符号化スキーム（ＭＣＳ）値をも含みうる。いくつかの場合、ＤｅＮＢもまた、調節ファクタ、および／または、調節ファクタを決定するためにＲＮによって利用可能な情報を送信しうる。ステージ８２０では、ＲＮは、調節された伝送ブロック・サイズ（ＴＢＳ）を決定するために、受信した情報、および／または、ＲＮで受信または格納されたその他の情報を使用しうる。その後、ＲＮは、ステージ８３０において、調節されたＴＢＳとの一貫性のある信号を受信および／または送信しうる。
【００７６】
この決定は、例えば、調節ファクタに基づいて、ＴＢＳルックアップ・テーブルへのインデクスを調節することを含みうる。調節ファクタは、例えば、ＲＮとＤｅＮＢとの間の時間オフセット、および／または、伝搬遅延に基づきうる。調節ファクタは、例えば、ＲＮサブフレームにおける制御およびデータ情報の多重化構成に基づきうる。調節ファクタは、例えば、ＲＮサブフレームのダウンリンク（ＤＬ）区分とアップリンク（ＵＬ）区分との間のＲＮサブフレームにおける切換時間に基づきうる。調節ファクタは、例えば、ＲＮとＤｅＮＢとの間のタイミング・オフセットに基づきうる。調節ファクタは、例えば、ＲＮに割り当てられたすべてのリソース・ブロックのために利用可能なリソース要素のように、リソース・ブロック毎に利用可能なリソース要素に基づきうる。調節ファクタは、例えば、前述したパラメータの組み合わせ、および／または、その他に基づきうる。いくつかの実施では、調節ファクタは、ＲＮとＤｅＮＢとの間の伝搬遅延、ＲＮサブフレームにおける制御およびデータ情報の多重化構成、および、ＲＮサブフレームのＤＬ区分とＵＬ区分との間のＲＮサブフレームにおける切換時間、のうちの複数に基づきうる。
【００７７】
調節ファクタは、ＲＮにおいて決定されうる。調節ファクタは、ＤｅＮＢにおいて、または、ＤｅＮＢとＲＮとの組み合わせにおいて決定されうる。いくつかの場合、調節ファクタは、例えば、関連付けられたコア・ネットワークのうちの１または複数のノードのようなその他のネットワーク・ノードにおいて決定されうる。調節ファクタは、固定されたパラメータに基づきうる。調節ファクタは、レイヤ３（すなわち、ＭＡＣレイヤ）設定されうる。調節ファクタは、ＤｅＮＢにおいて、ＲＮにおいて、ＤｅＮＢとＲＮとの組み合わせにおいて、および／または、その他のノードとの組み合わせにおいて動的に生成され、チャネル条件特性またはラジオ送信特性に基づきうる。
【００７８】
処理８００はさらに、調節ファクタを決定するために使用可能なフィードバックをＲＮからＤｅＮＢへ提供することを含みうる。この処理はさらに、このフィードバックに少なくとも部分的に基づいて、調節ファクタ、または、調節ファクタを決定する際に使用するためのデータを、ｅＮＢから受信することを含みうる。この処理はさらに、調節されたＴＢＳとの一貫性のある信号を、ＲＮから送信することを含みうる。
【００７９】
調節は、例えば、受信されたＲＢ数のようなパラメータを調節ファクタによって調節することによって実行されうる。例えば、調節されたＲＢ値を生成するために、受信されたＲＢ数が、調節ファクタによって乗じられうる。調節されたＲＢ値はその後、調節された伝送ブロック数を選択するために、図５に示すルックアップ・テーブルのようなルックアップ・テーブルへのインデクスとして使用されうる。
【００８０】
図９は、例えばドナー基地局またはｅＮＢ（ＤｅＮＢ）からの伝送ブロック・サイズ（ＴＢＳ）設定を容易にするための処理９００の詳細を例示する。ステージ９１０では、ＤｅＮＢと中継ノード（ＲＮ）との間で通信接続が確立されうる。この通信接続は、例えば、１または複数の端末またはＵＥからＤｅＮＢへ、および／または、ＤｅＮＢに接続されたコア・ネットワーク構成要素へ、データを中継するためのバックホール接続でありうる。
【００８１】
ステージ９２０では、ダウンリンク送信許可が、ＤｅＮＢからＲＮへ送信されうる。この許可は、例えば、割り当てられた物理リソース・ブロック（ＰＲＢ）数のような、リソース・ブロック（ＲＢ）の割当を含みうる。この許可はまた、例えば、変調および符号化スキーム（ＭＣＳ）インデクスを含みうる。これらのパラメータは、伝送ブロック・サイズ（ＴＢＳ）を決定するためにＲＮによって使用可能でありうる。さらに、調節ファクタまたはＴＢＳ調節ファクタを決定するための情報が、ＤｅＮＢからＲＮへ提供されうる。この情報または調節ファクタは、ＰＲＢ数およびＭＣＳインデクスと連携してなされうるＴＢＳの調節のために、ＲＮによって使用可能でありうる。
【００８２】
ＴＢＳを調節するための情報は、例えば、ＲＮとドナーｅＮＢとの間の伝播遅延に基づきうる。ＴＢＳを調節するための情報は、例えば、ＲＮサブフレームにおける制御およびデータ情報の多重化構成に基づきうる。ＴＢＳを調節するための情報は、例えば、ダウンリンク（ＤＬ）サブフレーム区分とアップリンク（ＵＬ）サブフレーム区分との間のＲＮサブフレームにおける切換時間に基づきうる。ＴＢＳを調節するための情報は、例えば、ＲＮに割り当てられたすべてのリソース・ブロックのために利用可能なリソース要素のような、リソース・ブロック毎に利用可能なリソース要素に基づきうる。この情報は、例えば、ＲＮとＤｅＮＢとの間のタイミング・オフセットに基づきうる。この情報は、他のものと同様に、上述したパラメータの組み合わせに基づきうる。例えば、この情報は、ＲＮとＤｅＮＢとの間の伝搬遅延、ＲＮサブフレームにおける制御およびデータ情報の多重化構成、および、ＲＮサブフレームのＤＬ区分とＵＬ区分との間のＲＮサブフレームにおける切換時間、のうちの複数に基づきうる。
【００８３】
この情報は、全体的または部分的に、ルックアップ・テーブル・インデクスを調節することにより、調整されたＴＢＳをＲＮにおいて生成するのに使用可能な調節ファクタを含みうる。調節ファクタは、ＲＮから受信した情報に基づいてＤｅＮＢにおいて生成されうる。調節ファクタ、または、調節ファクタを生成するための情報は、ＲＮにおいて部分的に生成され、ＤｅＮＢへ提供されうる。いくつかの場合、調節ファクタ、または、調節ファクタを生成するための情報は、ＲＮにおいて生成され、ＤｅＮＢへ提供されうる。いくつかの場合、調節ファクタまたは情報が、例えば、関連付けられたコア・ネットワークの構成要素のような別のネットワーク・ノードにおいて生成されうる。この情報または調節ファクタは、予め定義されうる。この情報または調節ファクタは、レベル３設定されうる。この情報または調節ファクタは、チャネル条件特性またはラジオ送信特性に基づいて、ＤｅＮＢ、ＲＮ、および／または、その他のネットワーク・ノードあるいはこれらの組み合わせにおいて動的に生成されうる。
【００８４】
処理９００はさらに、調節ファクタを決定するために使用可能なフィードバックを、ＤｅＮＢにおいて、ＲＮから受信することを含みうる。この処理はさらに、このフィードバックに少なくとも部分的に基づいて、伝送ブロック・サイズを調節するために使用可能な情報を生成することを含みうる。この処理はさらに、調節されたＴＢＳとの一貫性のある信号を送信および／または受信することを含みうる。
【００８５】
処理９００はさらに、例えば、第２のＲＮとの第２の接続（および／または、追加のＲＮとの追加の接続）を確立することを含みうる。この処理はさらに、第２のＲＮにおいて伝送ブロック・サイズ（ＴＢＳ）を調節するために使用可能な第２の情報および第２のダウンリンク（ＤＬ）送信許可を、ＤｅＮＢから第２のＲＮへ送信することを含みうる。ＤｅＮＢおよび複数のＲＮに関連付けられた設定および／または特性は、異なりうる。そして、異なる調節ファクタおよび／または情報が互いに使用されうる。例えば、第２の情報は、第１の情報と異なりうる。第１のＲＮおよび第２のＲＮ（および／または追加のＲＮ）によって使用される調節ファクタは、異なりうる。これら異なる調節ファクタは、それぞれの通信リンクにおける異なる設定パラメータおよび／またはチャネル特性に基づきうる。
【００８６】
図１０は、ＬＴＥシステムでありうる通信システム１０００の例における基地局１０１０（すなわち、ｅＮＢ、ＨｅＮＢ等）の実施形態の例と端末１０５０（すなわち、端末、ＡＴ、またはＵＥ等）の例のブロック図を例示する。ここでは、本明細書に記載された態様および機能が実施されうる。中継ノード（ＲＮ）は、基地局１０１０、１０５０に関連付けられた送信機能および受信機能の両方を提供できるように、例示された基地局１０１０および端末１０５０と同様に構成されうる。中継ノード構成では、ＲＮは、図２および図３に示されるような、例えばドナー基地局またはｅＮＢ（ＤｅＮＢ）のような基地局と通信しうる。そして、ＤｅＮＢは、基地局１０１０と同様に構成されうる。これらの構成要素は、図１乃至４に示すものに対応しうる。そして、図８乃至９において前述したように例示された処理を実施するように構成されうる。
【００８７】
例えば、範囲拡大機能またはその他の中継機能を容易にするため、他の基地局（図示せず）とＵＥとの間でのシグナリングの送信および受信のため、さらには、本明細書に記載されたようなその他の機能を提供するため、（図示しない）他の基地局および／または中継ノードとの調整のようなさまざまな機能が、基地局１５１０に示すプロセッサおよびメモリ（および／または、図示しないその他の構成要素）において実行されうる。ＵＥ１０５０は、基地局１０１０および／または（図示しない、例えば、本明細書で前述した非サービス提供基地局のような）その他の基地局から信号を受信し、ＤＬ信号を受信し、チャネル特性を判定し、チャネル推定を実行し、受信したデータを復調して空間情報を生成し、電力レベル情報を決定し、および／または、基地局１０１０またはその他の基地局（図示せず）に関連付けられたその他の情報を決定する、１または複数のモジュールを含みうる。
【００８８】
１つの実施形態では、基地局１０１０は、例えば、本明細書に記載されたような中継機能に関連付けられたシグナリングのようなシグナリングを決定し、生成し、再送信するために、前述したように、他の基地局と調整しうる。これは、例えばプロセッサ１０１４、１０３０、およびメモリ１０３２のような基地局１０１０の１または複数の構成要素（または図示しないその他の構成要素）においてなされうる。基地局１０１０はまた、例えば送信モジュール１０２４のようなｅＮＢ１０１０の１または複数の構成要素（または、図示しないその他の構成要素）を含む送信モジュールをも含みうる。基地局１０１０は、本明細書に記載されたような中継機能を提供するために、例えばプロセッサ１０３０、１０４２、復調モジュール１０４０、およびメモリ１０３２のような１または複数の構成要素（または図示しないその他の構成要素）を含む干渉除去モジュールを含みうる。基地局１０１０は、本明細書に記載されたような調節ファクタまたは中継機能に関連する情報を実行するために、例えばプロセッサ１０３０、１０１４およびメモリ１０３２のような１または複数の構成要素（または図示しないその他の構成要素）を含む調節ファクタまたはパラメータ・モジュールを含みうる。基地局１０１０はまた、受信機および中継機能を制御する制御モジュールをも含みうる。基地局１０１０は、例えば（図示しない）コア・ネットワークにおけるバックホール・システムのようなその他のシステムとのネットワークを提供するネットワーク接続モジュール１０９０を含みうる。
【００８９】
同様に、ＵＥ１０５０は、例えば受信機１０５４のような、ＵＥ１０５０（または、図示しないその他の構成要素）の１または複数の構成要素を含む受信モジュールを含みうる。ＵＥ１０５０はまた、例えばプロセッサ１０６０、１０７０およびメモリ１０７２のような、ＵＥ１０５０の１または複数の構成要素（または、図示しないその他の構成要素）を含む信号情報モジュールを含みうる。１つの実施形態では、ＵＥ１０５０で受信された１または複数の信号は、ＤＬ信号の受信、および／または、このＤＬ信号からの情報の抽出のために処理されうる。さらなる処理は、チャネル特性、電力情報、空間情報、および／または、例えば、基地局１０１０および／または（図示しない）その他の基地局のようなｅＮＢに関するその他の情報、を推定することを含みうる。メモリ１０３２、１０７２は、本明細書に記載された態様および機能に関連付けられた処理を実施するために、例えば、プロセッサ１０６０、１０７０、１０３８のような１または複数のプロセッサにおける実行のためのコンピュータ・コードを格納するために使用されうる。
【００９０】
動作中、基地局１０１０では、多くのデータ・ストリームのトラフィック・データが、データ・ソース１０１２から送信（ＴＸ）データ・プロセッサ１０１４に提供され、ここで処理され、１または複数のＵＥ１０５０へ送信される。送信されたデータは、インタレースされたサブフレーム送信の提供、および／または、１または複数のＵＥ１０５０における関連付けられた信号測定の実行のために、本明細書において前述したようにして制御されうる。
【００９１】
１つの態様では、おのおののデータ・ストリームは、基地局１０１０のそれぞれの送信機サブ・システム（送信機１０２４１−１０２４Ｎｔとして示される）によって処理され送信される。ＴＸデータ・プロセッサ１０１４は、符号化されたデータを提供するために、おのおののデータ・ストリームのトラフィック・データを受信し、フォーマットし、このデータ・ストリームのために選択された特定の符号化スキームに基づいて符号化し、インタリーブする。特に、基地局１０１０は、特定の基準信号および基準信号パターンを決定し、この基準信号、および／または、選択されたパターンにおけるビームフォーミング情報を含む送信信号を提供するように構成されうる。
【００９２】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。例えば、パイロット・データは、基準信号を含みうる。パイロット・データは、図１０に示されるようなＴＸデータ・プロセッサ１０１４に提供され、符号化されたデータと共に多重化されうる。データ・ストリームのおのおのの多重化されたパイロットおよび符号化されたデータは、その後、変調シンボルを提供するために、このデータ・ストリームのために選択された特定の変調スキーム（例えば、ＢＰＳＫ、ＱＳＰＫ、Ｍ−ＰＳＫ、Ｍ−ＱＡＭ等）に基づいて変調（すなわち、シンボル・マップ）されうる。そして、データおよびパイロットは、異なる変調スキームを用いて変調されうる。各データ・ストリームのデータ・レート、符号化、および変調は、メモリ１０３２、または、その他のメモリ、あるいは、（図示しない）ＵＥ１０５０の命令格納媒体に格納された命令群に基づいて、プロセッサ１０３０によって実行される命令群によって決定されうる。
【００９３】
すべてのデータ・ストリームの変調シンボルは、その後、ＴＸ  ＭＩＭＯプロセッサ１０２０に提供される。ＴＸ  ＭＩＭＯプロセッサ１０２０は、この変調シンボルを（例えば、ＯＦＤＭ実施のために）さらに処理する。ＴＸ  ＭＩＭＯプロセッサ１０２０は、その後、Ｎｔ個の送信機（ＴＭＴＲ）１０２２１乃至１０２２Ｎｔへ、Ｎｔ個の変調シンボル・ストリームを提供する。さまざまなシンボルが、送信のために、関連付けられたＲＢにマップされうる。
【００９４】
ＴＸ  ＭＩＭＯプロセッサ１０３０は、データ・ストリームのシンボル、および、このシンボルが送信されている１または複数のアンテナへ、ビームフォーミング重みを適用しうる。これは、基準信号と連携して、あるいは、基準信号によって提供されるチャネル推定情報、および／または、例えばＵＥのようなネットワーク・ノードから提供された空間情報のような情報を用いて実行されうる。例えば、ビームＢ＝ｔｒａｎｓｐｏｓｅ（  おのおのの送信機サブ・システム１０２１乃至１０２２Ｎｔは、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機１０２２１乃至１０２２ＮｔからのＮｔ個の変調信号は、その後、Ｎｔ個のアンテナ１０２４１乃至１０２４Ｎｔからそれぞれ送信される。
【００９５】
ＵＥ１０５０では、送信された調整された信号が、Ｎｒ個のアンテナ１０５２１乃至１０５２Ｎｒによって受信され、おのおののアンテナ１０５２からの受信信号が、それぞれの受信機（ＲＣＶＲ）１０５４１乃至１０５４Ｎｒへ提供される。おのおのの受信機１０５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００９６】
ＲＸデータ・プロセッサ１０６０はその後、送信されたＮｓ個のシンボル・ストリームの推定値を提供するために、Ｎｓ個の「検出された」シンボル・ストリームを提供できるように、Ｎｒ個の受信機１０５４１乃至１０５２ＮｒからＮｒ個のシンボル・ストリームを受信し、受信したシンボル・ストリームを、特定の受信機処理技術に基づいて処理する。ＲＸデータ・プロセッサ１０６０は、その後、検出されたおのおののシンボル・ストリームを復調し、デインタリーブし、復号して、そのデータ・ストリームのためのトラフィック・データを復元する。ＲＸデータ・プロセッサ１０６０による処理は、一般に、基地局１０１０におけるＴＸ  ＭＩＭＯプロセッサ１０１４およびＴＸデータ・プロセッサ１０２０によって実行されるものに対して相補的である。
【００９７】
プロセッサ１０７０は、以下にさらに説明されるように、使用するプリコーディング行列を定期的に決定しうる。プロセッサ１０７０は、その後、行列インデクス部およびランク値部を備える逆方向リンク・メッセージを定式化することができる。さまざまな態様において、これら逆方向リンク・メッセージは、通信リンクおよび／または受信データ・ストリームに関する様々なタイプの情報を含みうる。その後、逆方向リンク・メッセージは、多くのデータ・ストリームのトラフィック・データをデータ・ソース１０３６から受け取るＴＸデータ・プロセッサ１０３８によって処理され、変調器１０８０によって変調され、送信機１０５４１乃至１０５４Ｎｒによって調整され、基地局１０１０へ返送される。基地局１０１０へ返送された情報は、基地局１０１０からの干渉を緩和するビームフォーミングを提供するための空間情報および／または電力レベルを含みうる。
【００９８】
基地局１０１０では、ＵＥ１０５０からの変調信号が、アンテナ１０２４によって受信され、受信機１０２２によって調整され、復調器１０４０によって復調され、ＲＸデータ・プロセッサ１０４２によって処理されて、ＵＥ１０５０によって送信された逆方向リンク・メッセージが抽出される。プロセッサ１０３０は、その後、ビームフォーミング重みを決定するためにどのプリコーディング行列を使用するかを決定するために、この抽出されたメッセージを処理する。
【００９９】
図１１は、図２、３、１５に例示された構成要素に対応しうるドナー基地局構成要素（ＤｅＮＢ）１１１０および中継ノード構成要素（ＲＮ）１１４０を含む通信システムの実施形態を例示する。端末またはＵＥ１１４２は、ＵＥ１１４２とＤｅＮＢ１１１０との間のリレーとして機能するように構成されうる中継構成要素と通信しうる。ＲＮ１１４０は、図１に示すようなモジュール（のみならず、明瞭さのために明確に図示されていないが当業者には明らかなその他のモジュールをもまた）を含みうる。特に、ＲＮ１１４０は、１または複数の物理メモリ構成要素またはデバイスを備えうる１または複数のメモリ・モジュール１１４７に接続された１または複数のプロセッサ・モジュール１１４５を含みうる。プロセッサ・モジュール１１４５はまた、例えば図１０に示されるようなＵＥ１１４２と通信するように構成されたＵＥ送信および受信モジュール１１４９とも接続されうる。プロセッサ・モジュールは、本明細書において前述したＲＮ機能を実行するように構成されうる。この機能は、調節情報またはパラメータを受信することと、この情報に基づいて送信ブロック・サイズを調節することとを含む。プロセッサはまた、データおよび情報を受信し、ＤｅＮＢ１１１０へ送信するように構成される。これは、送信機モジュール１１４１および受信機モジュール１１４３によってなされうる。データは、ＴＢＳ調節パラメータまたはファクタまたはその他のＴＢＳ調節情報を生成するためにＤｅＮＢによって使用されるため、ＲＮから送信されたデータ、および、生成されたデータを含みうる。例えばプロセッサ・モジュール１１４５のようなＲＮ１１４０のコンピュータ構成要素またはプロセッサに対して、命令群を実行させるためのデータおよび／またはコードは、メモリ・モジュール１１４７に格納されうる。そして、これら命令群は、プロセッサ・モジュール内の１または複数のプロセッサで実行されうる。１または複数のプロセッサは、例えばＵＥ、ｅＮＢ、ＲＮ等のような通信デバイスにおいてデータおよび情報を処理するように構成された特別目的プロセッサを含みうる。
【０１００】
ＤｅＮＢ１１１０は、ドナー基地局のキャパシティ内のＲＮ１１４０と通信するように構成されうる。さらに、（図示しない）他のＲＮと通信するように、および／または、（図示しない）他のＵＥとダイレクトに通信するようにも構成されうる。ＤｅＮＢ１１１０は、受信機モジュール１１１１および送信機モジュール１１１３を含みうる。これらはそれぞれ、例えばダウンリンク許可のような情報およびデータ、および／または、ＴＢＳサイズを調節するための情報、および／または、調節ファクタまたはパラメータ、を送信するためにＲＮと通信するように構成される。これは、１または複数の物理メモリ構成要素またはデバイスを備えうる１または複数のメモリ・モジュール１１１７に接続された１または複数のプロセッサ・モジュール１１１５を用いてなされうる。プロセッサ・モジュール１１１５はまた、ＲＮ１１４０と通信するように構成された送信モジュール１１１１および受信モジュール１１１３とも接続されうる。プロセッサ・モジュールは、本明細書において前述され、ＲＮ１１４０から調節情報またはパラメータを受信すること、および、送信ブロック・サイズを調節するための情報、または調節ファクタまたはパラメータを生成および／または送信することを含む、ＤｅＮＢ機能を実行するように構成されうる。プロセッサはまた、コア・ネットワーク・インタフェース１１１９でありうるコア・ネットワーク（図示せず）との間でデータおよび情報を受信および送信するようにも構成されうる。例えばプロセッサ・モジュール１１１５のようなＤｅＮＢ１１１０のコンピュータ構成要素またはプロセッサに対して、命令群を実行させるためのデータおよび／またはコードは、メモリ・モジュール１１１７に格納されうる。そして、これら命令群は、プロセッサ・モジュール内の１または複数のプロセッサで実行されうる。１または複数のプロセッサは、例えばＵＥ、ｅＮＢ、ＲＮ等のような通信デバイスにおいてデータおよび情報を処理するように構成された特別目的プロセッサを含みうる。
【０１０１】
いくつかの構成では、無線通信のための装置は、本明細書に記載されたようなさまざまな機能を実行するための手段を含む。１つの態様では、前述した手段は、単数または複数のプロセッサ、および、関連付けられたメモリでありうる。ここでは、例えば図１０、１１に示すような実施形態が存在し、前述した手段によって詳述された機能を実行するように構成されている。これは、例えば、中継ＴＢＳ調節機能や、本明細書に記載されたその他の機能を実行するために、ＵＥ、ＤｅＮＢ、ＲＮ、および／または、図１乃至３、および図１０−１１に示すようなその他のネットワーク・ノードに存在するモジュールまたは装置でありうる。別の態様では、前述の手段は、前述の手段によって記述された機能を実行するように構成されたモジュールまたは任意の装置でありうる。
【０１０２】
１または複数の典型的な実施形態では、記載された機能、方法、および処理は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして符号化されうる。コンピュータ読取可能な媒体は、コンピュータ記憶媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を含みうる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【０１０３】
開示された処理および方法のステップまたはステージの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【０１０４】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【０１０５】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本開示の範囲からの逸脱をもたらすものと解釈されるべきではない。
【０１０６】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【０１０７】
本明細書で開示された実施形態に関して記述された方法、処理、またはアルゴリズムのステップまたはステージは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【０１０８】
特許請求の範囲は、本明細書に示された態様に限定されず、請求項の文言と一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。アイテムのリストのうちの「少なくとも１つ」を称する句は、単数を含むこれらアイテムのうちの任意の組み合わせを称する。例として、「ａ、ｂ、またはｃのうちの少なくとも１つ」は、ａ、ｂ、ｃ、ａとｂ、ａとｃ、ｂとｃ、ａとｂとｃ、をカバーすることが意図される。
【０１０９】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。したがって、この開示は、本明細書で示された態様に限定されるものではなく、本明細書で開示された原理および新規な特徴に一致した最も広い範囲に相当することが意図されている。以下の特許請求の範囲およびこの等価物が、本開示の範囲を規定することが意図される。
以下に、本願出願の当初の特許請求の範囲に記載された発明を付記する。
［Ｃ１］
通信を提供する方法であって、
中継ノード（ＲＮ）において、ドナー基地局（ＤｅＮＢ）から、ダウンリンク送信許可を受信することと、
調節ファクタおよび前記ダウンリンク送信許可における情報に基づいて、前記ＲＮにおいて、調節された送信ブロック・サイズ（ＴＢＳ）を決定することと、を備える方法。
［Ｃ２］
前記決定することは、前記調節ファクタに基づいて、ＴＢＳルックアップ・テーブルへのインデクスを調節することをさらに備える、Ｃ１に記載の方法。
［Ｃ３］
前記調節ファクタは、前記ＲＮと前記ＤｅＮＢとの間の伝搬遅延に基づく、Ｃ１に記載の方法。
［Ｃ４］
前記調節ファクタは、ＲＮサブフレームにおける制御およびデータ情報の多重化構成に基づく、Ｃ１に記載の方法。
［Ｃ５］
前記調節ファクタは、ＲＮサブフレームのダウンリンク（ＤＬ）区分とアップリンク（ＵＬ）区分との間の前記ＲＮサブフレームにおける切換時間に基づく、Ｃ１に記載の方法。
［Ｃ６］
前記調節ファクタは、前記ＲＮと前記ＤｅＮＢとの間のタイミング・オフセットに基づく、Ｃ１に記載の方法。
［Ｃ７］
前記調節ファクタは、前記ＲＮに割り当てられたリソース・ブロックについて、リソース・ブロック毎に利用可能なリソース要素の数に基づく、Ｃ１に記載の方法。
［Ｃ８］
前記調節ファクタは、前記ＲＮと前記ＤｅＮＢとの間の伝播遅延、ＲＮサブフレームにおける制御およびデータ情報の多重化構成、前記ＲＮサブフレームのＤＬ区分とＵＬ区分との間の前記ＲＮサブフレームにおける切換時間、前記ＲＮと前記ＤｅＮＢの間のタイミング・オフセット、および、前記ＲＮに割り当てられたリソース・ブロックについて利用可能なリソース要素の数、のうちの複数に基づく、Ｃ１に記載の方法。
［Ｃ９］
前記調節ファクタは、前記ＲＮにおいて決定される、Ｃ１に記載の方法。
［Ｃ１０］
前記調節ファクタは、前記ＤｅＮＢにおいて決定される、Ｃ１に記載の方法。
［Ｃ１１］
前記調節ファクタは、固定されたパラメータに基づく、Ｃ１に記載の方法。
［Ｃ１２］
前記調節ファクタは、チャネル条件特性またはラジオ送信特性に基づいて動的に生成される、Ｃ１に記載の方法。
［Ｃ１３］
前記調節ファクタを決定するために使用可能なフィードバックを前記ＲＮから前記ＤｅＮＢへ提供することと、
前記調節ファクタ、または、前記調節ファクタを決定する際に使用するデータを、前記フィードバックに少なくとも部分的に基づいて、前記ＤｅＮＢから受信することと、をさらに備えるＣ１に記載の方法。
［Ｃ１４］
前記調節されたＴＢＳとの一貫性のある信号を送信することをさらに備える、Ｃ１に記載の方法。
［Ｃ１５］
非一時的なコンピュータ読取可能な媒体を備えるコンピュータ・プログラム製品であって、
前記非一時的なコンピュータ読取可能な媒体は、コンピュータに対して、
ダウンリンク送信許可を受信させ、
調節ファクタおよび前記ダウンリンク送信許可における情報に基づいて、調節された送信ブロック・サイズ（ＴＢＳ）を決定させる、ためのコードを含む、コンピュータ・プログラム製品。
［Ｃ１６］
前記コードは、前記調節ファクタに基づいて、ＴＢＳルックアップ・テーブルへのインデクスを調節するためのコードを含む、Ｃ１５に記載のコンピュータ・プログラム製品。
［Ｃ１７］
前記ダウンリンク送信許可は、ＲＮにおいて、ＤｅＮＢから受信され、前記調節ファクタは、前記ＲＮと前記ＤｅＮＢとの間の伝搬遅延に基づく、Ｃ１５に記載のコンピュータ・プログラム製品。
［Ｃ１８］
前記調節ファクタは、ＲＮサブフレームにおける制御およびデータ情報の多重化構成に基づく、Ｃ１５に記載のコンピュータ・プログラム製品。
［Ｃ１９］
前記調節ファクタは、ＲＮサブフレームのダウンリンク（ＤＬ）区分とアップリンク（ＵＬ）区分との間の前記ＲＮサブフレームにおける切換時間に基づく、Ｃ１５に記載のコンピュータ・プログラム製品。
［Ｃ２０］
前記調節ファクタは、ＲＮとＤｅＮＢとの間のタイミング・オフセットに基づく、Ｃ１５に記載のコンピュータ・プログラム製品。
［Ｃ２１］
前記調節ファクタは、前記ＲＮに割り当てられたリソース・ブロックについて、リソース・ブロック毎に利用可能なリソース要素の数に基づく、Ｃ１５に記載のコンピュータ・プログラム製品。
［Ｃ２２］
前記調節ファクタは、ＲＮとＤｅＮＢとの間の伝播遅延、ＲＮサブフレームにおける制御およびデータ情報の多重化構成、前記ＲＮサブフレームのＤＬ区分とＵＬ区分との間の前記ＲＮサブフレームにおける切換時間、前記ＲＮと前記ＤｅＮＢの間のタイミング・オフセット、および、前記ＲＮに割り当てられたリソース・ブロックについて、リソース・ブロック毎に利用可能なリソース要素の数、のうちの複数に基づく、Ｃ１５に記載のコンピュータ・プログラム製品。
［Ｃ２３］
前記コードは、前記ＲＮにおいて、前記調節ファクタを決定するためのコードを含む、Ｃ１５に記載のコンピュータ・プログラム製品。
［Ｃ２４］
前記コードはさらに、前記調節ファクタを決定するために使用可能なフィードバックを前記ＲＮからＤｅＮＢへ提供し、前記調節ファクタ、または、前記調節ファクタを決定する際に使用するデータを、前記フィードバックに少なくとも部分的に基づいて、前記ＤｅＮＢから受信するためのコードを含む、Ｃ１５に記載のコンピュータ・プログラム製品。
［Ｃ２５］
前記コードはさらに、前記コンピュータに対して、前記調節されたＴＢＳとの一貫性のある信号を送信させるためのコードを含む、Ｃ１５に記載のコンピュータ・プログラム製品。
［Ｃ２６］
中継ノード（ＲＮ）であって、
ＤｅＮＢから、ダウンリンク送信許可を受信するように構成された受信機モジュールと、
調節ファクタおよび前記ダウンリンク送信許可における情報に基づいて、調節された送信ブロック・サイズ（ＴＢＳ）を決定するように構成されたプロセッサ・モジュールと、を備える中継ノード。
［Ｃ２７］
前記決定することは、前記調節ファクタに基づいて、ＴＢＳルックアップ・テーブルへのインデクスを調節することを備える、Ｃ２６に記載の中継ノード。
［Ｃ２８］
前記調節ファクタは、前記ＲＮと前記ＤｅＮＢとの間の伝搬遅延に基づく、Ｃ２６に記載の中継ノード。
［Ｃ２９］
前記調節ファクタは、ＲＮサブフレームにおける制御およびデータ情報の多重化構成に基づく、Ｃ２６に記載の中継ノード。
［Ｃ３０］
前記調節ファクタは、ＲＮサブフレームのダウンリンク（ＤＬ）区分とアップリンク（ＵＬ）区分との間の前記ＲＮサブフレームにおける切換時間に基づく、Ｃ２６に記載の中継ノード。
［Ｃ３１］
前記調節ファクタは、前記ＲＮと前記ＤｅＮＢとの間のタイミング・オフセットに基づく、Ｃ２６に記載の中継ノード。
［Ｃ３２］
前記調節ファクタは、前記ＲＮに割り当てられたリソース・ブロックについて、リソース・ブロック毎に利用可能なリソース要素の数に基づく、Ｃ２６に記載の中継ノード。
［Ｃ３３］
前記調節ファクタは、前記ＲＮと前記ＤｅＮＢとの間の伝播遅延、ＲＮサブフレームにおける制御およびデータ情報の多重化構成、前記ＲＮサブフレームのＤＬ区分とＵＬ区分との間の前記ＲＮサブフレームにおける切換時間、前記ＲＮと前記ＤｅＮＢの間のタイミング・オフセット、および、前記ＲＮに割り当てられたリソース・ブロックについて、リソース・ブロック毎に利用可能なリソース要素の数、のうちの複数に基づく、Ｃ２６に記載の中継ノード。
［Ｃ３４］
前記調節ファクタは、前記ＲＮにおいて決定される、Ｃ２６に記載の中継ノード。
［Ｃ３５］
前記調節ファクタは、固定されたパラメータに基づく、Ｃ２６に記載の中継ノード。
［Ｃ３６］
前記調節ファクタは、チャネル条件特性またはラジオ送信特性に基づいて動的に生成される、Ｃ２６に記載の中継ノード。
［Ｃ３７］
前記調節ファクタを決定するために使用可能なフィードバックを前記ＤｅＮＢへ提供するように構成された送信機モジュールをさらに備え、
前記受信機モジュールはさらに、前記調節ファクタ、または、前記調節ファクタを決定する際に使用するデータを、前記フィードバックに少なくとも部分的に基づいて、前記ＤｅＮＢから受信するように構成された、Ｃ２６に記載の中継ノード。
［Ｃ３８］
前記調節されたＴＢＳとの一貫性のある信号を送信するように構成された送信機モジュールをさらに備える、Ｃ２６に記載の中継ノード。
［Ｃ３９］
通信デバイスであって、
ＤｅＮＢからダウンリンク送信許可を受信する手段と、
調節ファクタおよび前記ダウンリンク送信許可における情報に基づいて、調節された送信ブロック・サイズ（ＴＢＳ）を決定する手段と、を備える通信デバイス。
［Ｃ４０］
前記調節ファクタは、前記ＲＮと前記ＤｅＮＢとの間の伝播遅延、ＲＮサブフレームにおける制御およびデータ情報の多重化構成、前記ＲＮサブフレームのＤＬ区分とＵＬ区分との間の前記ＲＮサブフレームにおける切換時間、および、前記ＲＮに割り当てられたリソース・ブロックについて、リソース・ブロック毎に利用可能なリソース要素の数、のうちの複数に基づく、Ｃ３９に記載の通信デバイス。
［Ｃ４１］
通信を提供する方法であって、
ドナーｅＮＢ（ＤｅＮＢ）において、第１の中継ノード（ＲＮ）との接続を確立することと、
前記ＲＮにおいて伝送ブロック・サイズ（ＴＢＳ）を調節するために使用可能な第１の情報およびダウンリンク（ＤＬ）送信許可を、前記ＤｅＮＢから前記ＲＮへ送信することと、を備える方法。
［Ｃ４２］
前記ＴＢＳを調節するための前記第１の情報は、前記ＲＮと前記ドナーｅＮＢとの間の伝播遅延に基づく、Ｃ４１に記載の方法。
［Ｃ４３］
前記調節するための前記第１の情報は、ＲＮサブフレームにおける制御およびデータ情報の多重化構成に基づく、Ｃ４１に記載の方法。
［Ｃ４４］
前記調節するための前記第１の情報は、ダウンリンク（ＤＬ）とアップリンク（ＵＬ）との間のＲＮサブフレームにおける切換時間に基づく、Ｃ４１に記載の方法。
［Ｃ４５］
前記調節するための前記第１の情報は、前記ＲＮと前記ＤｅＮＢとの間のタイミング・オフセットに基づく、Ｃ４１に記載の方法。
［Ｃ４６］
前記第１の情報は、前記ＲＮと前記ＤｅＮＢとの間の伝播遅延、ＲＮサブフレームにおける制御およびデータ情報の多重化構成、前記ＲＮサブフレームのＤＬ区分とＵＬ区分との間の前記ＲＮサブフレームにおける切換時間、前記ＲＮと前記ＤｅＮＢの間のタイミング・オフセット、および、前記ＲＮに割り当てられたリソース・ブロックについて、リソース・ブロック毎に利用可能なリソース要素の数、のうちの複数に基づく、Ｃ４１に記載の方法。
［Ｃ４７］
前記第１の情報は、ルックアップ・テーブル・インデクスを調節することにより、調整されたＴＢＳを前記ＲＮにおいて生成するために使用可能な調節ファクタを備える、Ｃ４１に記載の方法。
［Ｃ４８］
前記調節ファクタは、前記ＲＮから受信した情報に基づいて前記ＤｅＮＢにおいて生成される、Ｃ４７に記載の方法。
［Ｃ４９］
前記第１の情報は、チャネル条件特性またはラジオ送信特性に基づいて前記ＤｅＮＢにおいて動的に生成される、Ｃ４１に記載の方法。
［Ｃ５０］
前記調節ファクタを決定するために使用可能な前記ＲＮからのフィードバックを、前記ＤｅＮＢにおいて受信することと、
前記フィードバックに少なくとも部分的に基づいて、前記伝送ブロック・サイズを調節するために使用可能な前記第１の情報を生成することと、をさらに備えるＣ４７に記載の方法。
［Ｃ５１］
前記調節されたＴＢＳとの一貫性のある信号を、前記ＲＮから受信することをさらに備える、Ｃ４１に記載の方法。
［Ｃ５２］
第２のＲＮとの第２の接続を確立することと、
前記第２のＲＮにおいて伝送ブロック・サイズ（ＴＢＳ）を調節するために使用可能な第２の情報および第２のダウンリンク（ＤＬ）送信許可を、前記ＤｅＮＢから前記第２のＲＮへ送信することと、をさらに備えるＣ４１に記載の方法。
［Ｃ５３］
前記第２の情報は、前記第１の情報とは異なる、Ｃ５２に記載の方法。
［Ｃ５４］
非一時的なコンピュータ読取可能な媒体を備えるコンピュータ・プログラム製品であって、
前記非一時的なコンピュータ読取可能な媒体は、コンピュータに対して、
第１の中継ノード（ＲＮ）との接続を確立させ、
前記ＲＮにおいて伝送ブロック・サイズ（ＴＢＳ）を調節するために使用可能な情報およびダウンリンク（ＤＬ）送信許可を、前記ＲＮへ送信させる、ためのコードを含む、コンピュータ・プログラム製品。
［Ｃ５５］
ドナーｅＮＢであって、
第１の中継ノード（ＲＮ）との接続を確立するように構成された受信機モジュールと、
前記ＲＮにおいて伝送ブロック・サイズ（ＴＢＳ）を調節するために使用可能な情報およびダウンリンク（ＤＬ）送信許可を、前記ＲＮへ送信するように構成された送信機モジュールと、を備えるドナーｅＮＢ。
［Ｃ５６］
通信デバイスであって、
第１のＲＮとの接続を確立する手段と、
前記ＲＮにおいて伝送ブロック・サイズ（ＴＢＳ）を調節するために使用可能な情報およびダウンリンク（ＤＬ）送信許可を、前記ＲＮへ送信する手段と、を備える通信デバイス。
【図１】
0005571192.tif 000003
【図２】
0005571192.tif 000004
【図３】
0005571192.tif 000005
【図４】
0005571192.tif 000006
【図５】
0005571192.tif 000007
【図６】
0005571192.tif 000008
【図７】
0005571192.tif 000009
【図８】
0005571192.tif 000010
【図９】
0005571192.tif 000011
【図１０】
0005571192.tif 000012
【図１１】
0005571192.tif 000013